(57)【特許請求の範囲】
【請求項１】
設定可能な帯域幅を使用して通信するための方法であって、
サービング進化型ノードＢ（ｅＮＢ）から制御チャネルを、ユーザ機器（ＵＥ）において、受信することと、ここにおいて、前記制御チャネルは、アロケーションスペースにおいてアップリンク共有データチャネルのためのリソースグラントを含む、
ここにおいて、前記アロケーションスペースは、ダウンリンク通信のための期間と、それに後続するガード期間と、それに後続するアップリンク通信のための期間とを含み、前記アロケーションスペースは、時間ドメインにおける複数のシンボルにわたって周波数ドメインにおける複数のリソースブロックグループを含む、
ここにおいて、前記リソースグラントは、前記時間ドメインにおけるサブフレームを形成する複数のシンボルのうち前記アップリンク通信のための期間内のいくつかのシンボルにわたって前記周波数ドメインにおける前記複数のリソースブロックグループに含まれるいくつかのリソースブロックグループを示す、
前記いくつかのシンボルの少なくとも第１の部分にわたって前記いくつかのリソースブロックグループにおける前記アップリンク共有データチャネルにおいてデータを、前記ＵＥによって、送信することと、
前記アロケーションスペースにおける１つまたは複数の復調基準信号（ＤＭ−ＲＳ）を送信するための、前記アップリンク通信のための期間内の１つのシンボルを決定することと、ここで、前記シンボルは、ＤＭ−ＲＳを送信するために複数のＵＥによって使用される、ここにおいて、前記１つまたは複数のＤＭ−ＲＳを送信するための前記シンボルを決定することは、前記リソースグラントにおいて示される前記アップリンク共有データチャネル内の前記シンボルの時間ドメインロケーションのインジケーションに少なくとも部分的に基づく、ここにおいて、前記インジケーションは、前記サービングｅＮＢから前記制御チャネルにおいて受信される、
前記シンボル内の１つまたは複数のリソースブロックグループにおいて前記１つまたは複数のＤＭ−ＲＳを送信することと、
を備える、方法。
【請求項２】
前記いくつかのリソースブロックグループは、ガード期間から１つ目または２つ目以上のシンボルである第１のシンボル内にあるリソースブロックグループから開始する、請求項１に記載の方法。
【請求項３】
前記アップリンク共有データチャネルの少なくとも１つの部分において制御データを、前記ＵＥによって、送信することをさらに備える、請求項１に記載の方法。
【請求項４】
前記アップリンク共有データチャネルにおいて前記制御データを送信するために前記サービングｅＮＢからインジケータを、前記ＵＥによって、受信することをさらに備える、請求項３に記載の方法。
【請求項５】
前記ＤＭ−ＲＳを送信するための前記シンボルは、ガード期間の後であり、前記アロケーションスペースの第１のシンボルの前である、請求項１に記載の方法。
【請求項６】
前記ＵＥにおいて、および前記サービングｅＮＢから、アップリンク制御チャネルのためのスタートインジケータおよび帯域幅のインジケーションを受信することと、
前記スタートインジケータから前記サブフレームの終わりまで、第１の持続期間の間に、および前記帯域幅にわたって前記アップリンク制御チャネルにおいて制御データを、前記ＵＥによって、送信することと、
をさらに備える、請求項１に記載の方法。
【請求項７】
前記リソースグラントに基づいて、前記アップリンク通信のための期間内に、前記アップリンク共有データチャネルのための前記いくつかのシンボルにわたる前記いくつかのリソースブロックグループを決定することをさらに備え、
前記アップリンク制御チャネルは、前記アップリンク通信のための期間内の１つまたは複数のシンボルにおける最初のリソースブロックグループのリソースブロックの少なくとも１つの部分と、前記１つまたは複数のシンボルにおける最後のリソースブロックグループのリソースブロックの少なくとも別の部分とを、備える、請求項６に記載の方法。
【請求項８】
前記１つまたは複数のシンボルの第１のシンボルは、前記アップリンク共有データチャネルのための前記いくつかのシンボルの第１のシンボルから遅延される、請求項７に記載の方法。
【請求項９】
前記いくつかのシンボルの数は、前記アップリンク共有データチャネルのためのサイズに対応する、請求項７に記載の方法。
【請求項１０】
前記１つまたは複数のシンボルは、前記サービングｅＮＢから１つの構成において受信される前記アップリンク制御チャネルの第２の持続時間に対応する、請求項７に記載の方法。
【請求項１１】
前記１つまたは複数のシンボルは、前記サブフレームにおける最後のシンボルを備え、前記制御データを送信することは、前記サービングｅＮＢから１つの構成において受信されるインジケーションに基づいて前記最後のシンボルにおける１つまたは複数のリソースブロックグループのリソースブロックにおいて前記制御データを送信することを備える、請求項７に記載の方法。
【請求項１２】
前記アップリンク制御チャネルは、前記アップリンク通信のための期間内の第２の１つまたは複数のシンボルにおける前記最初のリソースブロックグループの少なくとも第２の部分と、前記第２の１つまたは複数のシンボルにおける前記最後リソースブロックグループの少なくとも別の第２の部分と、をさらに備える、請求項７に記載の方法。
【請求項１３】
前記リソースグラントは、ダウンリンク共有データチャネルおよび前記アップリンク共有データチャネルに関わるリソースを示し、ここにおいて、前記制御データを送信することは、前記ダウンリンク共有データチャネル上で受信されるデータに関わる肯定応答／否定応答を示すための第１の循環シフト、または、前記アップリンク共有データチャネル上のリソースに対するスケジューリング要求を示すための第２の循環シフト、のうちの少なくとも１つを使用して前記制御データを送信することを備える、請求項６に記載の方法。
【請求項１４】
前記リソースグラントは、前記アップリンク共有データチャネルに関わるリソースを示し、
前記制御データを送信することは、前記アップリンク共有データチャネルにおけるリソースに対するスケジューリング要求を示すための第１の循環シフト、または、チャネル品質インジケータを送信することの要求を示すための第２の循環シフト、のうちの少なくとも１つを使用して、前記制御データを、前記ＵＥによって、送信することを備える、請求項６に記載の方法。
【請求項１５】
前記制御データを送信することは、パイロット信号を示すための第１の循環シフト、または、前記アップリンク共有データチャネルにおけるリソースに対するスケジューリング要求を示すための第２の循環シフト、のうちの少なくとも１つを使用して前記制御データを、前記ＵＥによって、送信することを備える、請求項６に記載の方法。
【請求項１６】
前記サブフレームの第１の部分において前記サービングｅＮＢからチャネル状態情報（ＣＳＩ）基準信号（ＣＳＩ−ＲＳ）を、前記ＵＥによって、受信することをさらに備え、前記制御データを送信することは、前記サブフレームの第２の部分における前記アップリンク制御チャネルにおいて前記ＣＳＩ−ＲＳに関わるＣＳＩフィードバックを送信することを含む、ここにおいて、前記第１の部分は前記ダウンリンク通信のための期間であり、前記第２の部分は、前記アップリンク通信のための期間である、請求項６に記載の方法。
【請求項１７】
前記サブフレームの第１の部分において前記サービングｅＮＢからＣＳＩ−ＲＳを受信することと、
前記サブフレームの第２の部分における前記アップリンク共有データチャネルにおいて前記ＣＳＩ−ＲＳに関わるＣＳＩフィードバックを送信することと、ここにおいて、前記第１の部分は前記ダウンリンク通信のための期間であり、前記第２の部分は、前記アップリンク通信のための期間である、
をさらに備える、請求項６に記載の方法。
【請求項１８】
前記アップリンク共有データチャネルにおいて前記ＣＳＩフィードバックを送信することは、前記アップリンク共有データチャネルが前記アップリンク制御チャネルと衝突することを決定することに少なくとも部分的に基づく、請求項１７に記載の方法。
【請求項１９】
設定可能な帯域幅を使用して通信するための装置であって、
トランシーバと、
メモリと、
前記トランシーバおよび前記メモリに通信可能に結合された少なくとも１つのプロセッサと、を備え、ここにおいて、前記少なくとも１つのプロセッサは、
サービング進化型ノードＢ（ｅＮＢ）から制御チャネルを受信することと、ここにおいて、前記制御チャネルは、アロケーションスペースにおいてアップリンク共有データチャネルのためのリソースグラントを含む、ここにおいて、前記アロケーションスペースは、ダウンリンク通信のための期間と、それに後続するガード期間と、それに後続するアップリンク通信のための期間とを含み、前記アロケーションスペースは、時間ドメインにおける複数のシンボルにわたって周波数ドメインにおける複数のリソースブロックグループを含む、ここにおいて、前記リソースグラントは、前記時間ドメインにおけるサブフレームを形成する複数のシンボルのうち前記アップリンク通信のための期間内のいくつかのシンボルにわたって前記周波数ドメインにおける前記複数のリソースブロックグループに含まれるいくつかのリソースブロックグループを示す、
前記いくつかのシンボルの少なくとも第１の部分にわたって前記いくつかのリソースブロックグループにおける前記アップリンク共有データチャネルにおいてデータを送信することと、
前記アロケーションスペースにおける１つまたは複数の復調基準信号（ＤＭ−ＲＳ）を送信するための前記アップリンク通信のための期間内の１つのシンボルを決定することと、ここで、前記シンボルは、ＤＭ−ＲＳを送信するために複数のＵＥによって使用される、ここにおいて、前記少なくとも１つのプロセッサは、前記リソースグラントにおいて示される前記アップリンク共有データチャネル内の前記シンボルの時間ドメインロケーションのインジケーションに少なくとも部分的に基づいて、前記１つまたは複数のＤＭ−ＲＳを送信するための前記シンボルを決定する、ここにおいて、前記インジケーションは、前記サービングｅＮＢから前記制御チャネルにおいて受信される、
前記シンボル内の１つまたは複数のリソースブロックグループにおいて前記１つまたは複数のＤＭ−ＲＳを送信することと、
を行うように構成される、装置。
【請求項２０】
前記いくつかのリソースブロックグループは、ガード期間から１つ目または２つ目以上のシンボルである第１のシンボル内にあるリソースブロックグループから開始する、請求項１９に記載の装置。
【請求項２１】
前記少なくとも１つのプロセッサは、前記アップリンク共有データチャネルの少なくとも１つの部分において制御データを送信するようにさらに構成される、請求項１９に記載の装置。
【請求項２２】
前記少なくとも１つのプロセッサは、前記アップリンク共有データチャネルにおいて前記制御データを送信するために前記サービングｅＮＢからインジケータを受信するようにさらに構成される、請求項２１に記載の装置。
【請求項２３】
設定可能な帯域幅を使用して通信するための装置であって、
サービング進化型ノードＢ（ｅＮＢ）から制御チャネルを、ユーザ機器（ＵＥ）において、受信するための手段と、ここにおいて、前記制御チャネルは、アロケーションスペースにおいてアップリンク共有データチャネルのためのリソースグラントを含む、ここにおいて、前記アロケーションスペースは、ダウンリンク通信のための期間と、それに後続するガード期間と、それに後続するアップリンク通信のための期間とを含み、前記アロケーションスペースは、時間ドメインにおける複数のシンボルにわたって周波数ドメインにおける複数のリソースブロックグループを含む、
ここにおいて、前記リソースグラントは、前記時間ドメインにおけるサブフレームを形成する複数のシンボルのうち前記アップリンク通信のための期間内のいくつかのシンボルにわたって前記周波数ドメインにおける前記複数のリソースブロックグループに含まれるいくつかのリソースブロックグループを示す、
前記いくつかのシンボルの少なくとも第１の部分にわたって前記いくつかのリソースブロックグループにおける前記アップリンク共有データチャネルにおいてデータを、前記ＵＥによって、送信するための手段と、
前記アロケーションスペースにおける１つまたは複数の復調基準信号（ＤＭ−ＲＳ）を送信するための前記アップリンク通信のための期間内の１つのシンボルを決定するための手段と、ここで、前記シンボルは、ＤＭ−ＲＳを送信するために複数のＵＥによって使用される、ここにおいて、前記決定するための手段は、前記リソースグラントにおいて示される前記アップリンク共有データチャネル内の前記シンボルの時間ドメインロケーションのインジケーションに少なくとも部分的に基づいて、前記１つまたは複数のＤＭ−ＲＳを送信するための前記シンボルを決定する、ここにおいて、前記インジケーションは、前記サービングｅＮＢから前記制御チャネルにおいて受信される、
前記シンボル内の１つまたは複数のリソースブロックグループにおいて前記１つまたは複数のＤＭ−ＲＳを送信するための手段と、
を備える、装置。
【請求項２４】
前記いくつかのリソースブロックグループは、ガード期間から１つ目または２つ目以上のシンボルである第１のシンボル内にあるリソースブロックグループから開始する、請求項２３に記載の装置。
【請求項２５】
設定可能な帯域幅を使用して通信するためのコンピュータ実行可能コードを記憶する非一時的コンピュータ可読媒体であって、前記コンピュータ実行可能コードは、
サービング進化型ノードＢ（ｅＮＢ）から制御チャネルを、ユーザ機器（ＵＥ）において、受信するためのコードと、ここにおいて、前記制御チャネルは、アロケーションスペースにおいてアップリンク共有データチャネルのためのリソースグラントを含む、ここにおいて、前記アロケーションスペースは、ダウンリンク通信のための期間と、それに後続するガード期間と、それに後続するアップリンク通信のための期間とを含み、前記アロケーションスペースは、時間ドメインにおける複数のシンボルにわたって周波数ドメインにおける複数のリソースブロックグループを含む、ここにおいて、前記リソースグラントは、前記時間ドメインにおけるサブフレームを形成する複数のシンボルのうち前記アップリンク通信のための期間内のいくつかのシンボルにわたって前記周波数ドメインにおける前記複数のリソースブロックグループに含まれるいくつかのリソースブロックグループを示す、
前記いくつかのシンボルの少なくとも第１の部分にわたって前記いくつかのリソースブロックグループにおける前記アップリンク共有データチャネルにおいてデータを、前記ＵＥによって、送信するためのコードと、
前記アロケーションスペースにおける１つまたは複数の復調基準信号（ＤＭ−ＲＳ）を送信するための前記アップリンク通信のための期間内の１つのシンボルを決定するためのコードと、ここで、前記シンボルは、ＤＭ−ＲＳを送信するために複数のＵＥによって使用される、ここにおいて、決定するための前記コードは、前記リソースグラントにおいて示される前記アップリンク共有データチャネル内の前記シンボルの時間ドメインロケーションのインジケーションに少なくとも部分的に基づいて、前記１つまたは複数のＤＭ−ＲＳを送信するための前記シンボルを決定する、ここにおいて、前記インジケーションは、前記サービングｅＮＢから前記制御チャネルにおいて受信される、
前記シンボル内の１つまたは複数のリソースブロックグループにおいて前記１つまたは複数のＤＭ−ＲＳを送信するためのコードと、
を備える、非一時的コンピュータ可読媒体。
【請求項２６】
前記いくつかのリソースブロックグループは、ガード期間から１つ目または２つ目以上のシンボルである第１のシンボル内にあるリソースブロックグループから開始する、請求項２５に記載の非一時的コンピュータ可読媒体。
【請求項２７】
前記ＤＭ−ＲＳを送信するための前記シンボルは、ガード期間の後であり、前記アロケーションスペースの第１のシンボルの前である、請求項１９に記載の装置。
【請求項２８】
前記少なくとも１つのプロセッサは、
前記サービングｅＮＢから、アップリンク制御チャネルのためのスタートインジケータおよび帯域幅のインジケーションを受信することと、
前記スタートインジケータから前記サブフレームの終わりまで、第１の持続期間の間に、および前記帯域幅にわたって前記アップリンク制御チャネルにおいて制御データを送信することと、
を行うようにさらに構成される、請求項１９に記載の装置。
【請求項２９】
前記少なくとも１つのプロセッサは、前記リソースグラントに基づいて、前記アップリンク通信のための期間内に、前記アップリンク共有データチャネルのための前記いくつかのシンボルにわたる前記いくつかのリソースブロックグループを決定するようにさらに構成され、
前記アップリンク制御チャネルは、前記アップリンク通信のための期間内の１つまたは複数のシンボルにおける最初のリソースブロックグループのリソースブロックの少なくとも１つの部分と、前記１つまたは複数のシンボルにおける最後のリソースブロックグループのリソースブロックの少なくとも別の部分とを、備える、請求項２８に記載の装置。
【請求項３０】
前記１つまたは複数のシンボルの第１のシンボルは、前記アップリンク共有データチャネルのための前記いくつかのシンボルの第１のシンボルから遅延される、請求項２９に記載の装置。
【発明の詳細な説明】
【米国特許法１１９条に基づく優先権の主張】
【０００１】
[0001]  本特許出願は、「ＴＥＣＨＮＩＱＵＥＳ ＦＯＲ ＰＲＯＶＩＤＩＮＧ ＣＨＡＮＮＥＬＳ ＩＮ ＬＯＷ ＬＡＴＥＮＣＹ ＬＴＥ ＷＩＲＥＬＥＳＳ ＣＯＭＭＵＮＩＣＡＴＩＯＮＳ」と題され、２０１６年６月２７日に出願された非仮出願第１５／１９４，２７８号、および「ＴＥＣＨＮＩＱＵＥＳ ＦＯＲ ＰＲＯＶＩＤＩＮＧ ＣＨＡＮＮＥＬＳ ＩＮ ＬＯＷ ＬＡＴＥＮＣＹ ＬＴＥ ＷＩＲＥＬＥＳＳ ＣＯＭＭＵＮＩＣＡＴＩＯＮＳ」と題され、２０１５年１１月１１日に出願された仮出願第６２／２５４，０５６号に優先権を主張し、それらは本願の譲渡人に譲渡され、これにより、あらゆる目的のために参照によって本書に明確に組み込まれる。
【技術分野】
【０００２】
[0002]  概して通信システムに関する態様、より具体的にはワイヤレス通信チャネルを提供することに関する態様が、本書に説明される。
【背景技術】
【０００３】
[0003]  ワイヤレス通信システムは、電話通信、ビデオ、データ、メッセージング、およびブロードキャストなどのさまざまな電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが都市、国家、地域、さらには地球規模で通信することを可能にする共通プロトコルを提供するために、さまざまな電気通信規格において採用されてきた。電気通信規格の一例は、ロングタームエボリューション（ＬＴＥ（登録商標））である。ＬＴＥは、第３世代パートナーシッププロジェクト（３ＧＰＰ（登録商標））によって推奨されているユニバーサルモバイルテレコミュニケーションシステム（ＵＭＴＳ）モバイル基準に対する一連のエンハンスメント（enhancement）である。それは、スペクトル効率を改善することによってモバイルブロードバンドインターネットアクセスをより良くサポートし、コストを下げ、サービスを改善し、新たなスペクトルを利用し、ダウンリンク（ＤＬ）上においてＯＦＤＭＡを、アップリンク（ＵＬ）上においてＳＣ−ＦＤＭＡを、および多入力多出力（ＭＩＭＯ）アンテナ技術を使用して、他のオープン規格とより良く統合するよう設計される。しかしながら、モバイルブロードバンドアクセスに対する需要が増大し続けるのにつれて、ＬＴＥ技術におけるさらなる改良が要求され得る。望ましくは、これらの改良は、これらの技術を用いる他の多元接続技術および電気通信規格に適用可能であるべきである。
【０００５】
[0005]  レガシＬＴＥを使用するワイヤレス通信システムにおいて、特定のｅノードＢによってサービスされる複数のＵＥは、１ミリ秒サブフレームのオーダで送信時間インターバル（ＴＴＩ）を使用して１つまたは複数のチャネル上でｅノードＢと通信するためのリソースでスケジューリングされ得る。帯域幅に対する需要およびＵＥの機能が増加するのにつれて、通信におけるさらなる低遅延が要求され得る。
【発明の概要】
【０００６】
[0006]  以下は、１つまたは複数の態様の基本的な理解を提供するために、そのような態様の簡略化された概要を示す。この概要は、企図されるすべての態様の広範な概観ではなく、また、すべての態様の重要なまたはクリティカルな要素を識別することも、任意またはすべての態様の範囲を定めることも意図されない。その唯一の目的は、１つまたは複数の態様のいくつかの概念を、後に提示されるより詳細な説明への前置きとして、簡略化された形態で提示することである。
【０００７】
[0007]  一例にしたがえば、設定可能な帯域幅を使用して通信するための方法が、提供される。方法は、サービング進化型ノードＢ（ｅＮＢ）から制御チャネルを、ユーザ機器（ＵＥ）において、受信することと、ここにおいて制御チャネルは、アップリンク共有データチャネルのためのスタートインジケータおよび帯域幅を示すリソースグラントを含む、スタートインジケータから対応するサブフレームの終わりまでの持続時間の間に、帯域幅にわたってアップリンク共有データチャネルにおいてデータを、ＵＥによって、送信することと、を含む。
【０００８】
[0008]  別の例では、設定可能な帯域幅を使用して通信するための装置が提供される。装置は、トランシーバと、メモリと、そのトランシーバおよびメモリと通信可能に結合された少なくとも１つのプロセッサと、を含む。少なくとも１つのプロセッサは、サービング進化型ノードＢ（ｅＮＢ）から制御チャネルを受信することと、ここにおいて制御チャネルは、アップリンク共有データチャネルのためのスタートインジケータおよび帯域幅を示すリソースグラントを含む、スタートインジケータから対応するサブフレームの終わりまでの持続時間の間に、帯域幅にわたってアップリンク共有データチャネルにおいてデータを送信することと、を行うように構成される。
【０００９】
[0009]  別の例では、設定可能な帯域幅を使用して通信するための装置が提供される。装置は、サービング進化型ノードＢ（ｅＮＢ）から制御チャネルを受信するための手段と、ここにおいて制御チャネルは、アップリンク共有データチャネルのためのスタートインジケータおよび帯域幅を示すリソースグラントを含む、スタートインジケータから対応するサブフレームの終わりまでの持続時間の間に、帯域幅にわたってアップリンク共有データチャネルにおいてデータを送信するための手段と、を含む。
【００１０】
[0010]  さらなる例では、設定可能な帯域幅を使用して通信するためのコンピュータ実行可能コードを記憶するコンピュータ可読媒体が、提供される。コードは、サービング進化型ノードＢ（ｅＮＢ）から制御チャネルを受信するためのコードと、ここにおいて制御チャネルは、アップリンク共有データチャネルのためのスタートインジケータおよび帯域幅を示すリソースグラントを含む、スタートインジケータから対応するサブフレームの終わりまでの持続時間の間に、帯域幅にわたってアップリンク共有データチャネルにおいてデータを送信するためのコードと、を含む。
【００１１】
[0011]  他の例では、設定可能な帯域幅を使用して通信するための方法が提供される。方法は、サービングｅＮＢから制御チャネルを、ＵＥにおいて、受信することと、ここにおいて制御チャネルは、アロケーションスペースにおけるスターティング（開始）リソースブロックグループから開始する複数のリソースブロックグループを含むアップリンク共有データチャネルのためのリソースグラントを含み、ここにおいてアロケーションスペースは、時間ドメインにおける複数のシンボルにわたって周波数ドメインにおける複数のリソースブロックグループを含む、アロケーションスペースにおけるスターティングリソースブロックから開始して第１に周波数ドメインにわたっておよび第２に時間ドメインにわたってアロケーションスペースにおける複数のリソースブロックグループを通して続くアップリンク共有データチャネルにおいてデータを、ＵＥによって、送信することと、を含む。
【００１２】
[0012]  別の例では、設定可能な帯域幅を使用して通信するための装置が提供される。装置は、トランシーバと、メモリと、そのトランシーバおよびメモリと通信可能に結合された少なくとも１つのプロセッサと、を含む。少なくとも１つのプロセッサは、サービングｅＮＢから制御チャネルを受信することと、ここにおいて制御チャネルは、アロケーションスペースにおけるスターティングリソースブロックグループから開始する複数のリソースブロックグループを含むアップリンク共有データチャネルのためのリソースグラントを含み、ここにおいてアロケーションスペースは、時間ドメインにおける複数のシンボルにわたって周波数ドメインにおける複数のリソースブロックグループを含む、アロケーションスペースにおけるスターティングリソースブロックから開始して第１に周波数ドメインにわたっておよび第２に時間ドメインにわたってアロケーションスペースにおける複数のリソースブロックグループを通して続くアップリンク共有データチャネルにおいてデータを送信することと、を行うように構成される。
【００１３】
[0013]  別の例では、設定可能な帯域幅を使用して通信するための装置が提供される。装置は、サービングｅＮＢから制御チャネルを受信するための手段と、ここにおいて制御チャネルは、アロケーションスペースにおけるスターティングリソースブロックグループから開始する複数のリソースブロックグループを含むアップリンク共有データチャネルのためのリソースグラントを含み、ここにおいてアロケーションスペースは、時間ドメインにおける複数のシンボルにわたって周波数ドメインにおける複数のリソースブロックグループを含む、アロケーションスペースにおけるスターティングリソースブロックから開始して第１に周波数ドメインにわたっておよび第２に時間ドメインにわたってアロケーションスペースにおける複数のリソースブロックグループを通して続くアップリンク共有データチャネルにおいてデータを送信するための手段と、を含む。
【００１４】
[0014]  さらなる例では、設定可能な帯域幅を使用して通信するためのコンピュータ実行可能コードを記憶するコンピュータ可読媒体が、提供される。コードは、サービングｅＮＢから制御チャネルを受信するためのコードと、ここにおいて制御チャネルは、アロケーションスペースにおけるスターティングリソースブロックグループから開始する複数のリソースブロックグループを含むアップリンク共有データチャネルのためのリソースグラントを含み、ここにおいてアロケーションスペースは、時間ドメインにおける複数のシンボルにわたって周波数ドメインにおける複数のリソースブロックグループを含む、アロケーションスペースにおけるスターティングリソースブロックから開始して第１に周波数ドメインにわたっておよび第２に時間ドメインにわたってアロケーションスペースにおける複数のリソースブロックグループを通して続くアップリンク共有データチャネルにおいてデータを送信するためのコードと、を含む。
【００１５】
[0015]  別の例では、設定可能な帯域幅を使用して通信するための方法が提供される。方法は、サービングｅＮＢから制御チャネルを、ＵＥにおいて、受信することと、ここにおいて制御チャネルはアップリンク制御チャネルのためのスタートインジケータおよび帯域幅を示すリソースグラントを含む、スタートインジケータから対応するサブフレームの終わりまでの持続時間の間に、帯域幅にわたってアップリンク制御チャネルにおいて制御データを、ＵＥによって、送信することと、を含む。
【００１６】
[0016]  別の例では、設定可能な帯域幅を使用して通信するための装置が提供される。装置は、トランシーバと、メモリと、そのトランシーバおよびメモリと通信可能に結合された少なくとも１つのプロセッサと、を含む。少なくとも１つのプロセッサは、サービングｅＮＢから制御チャネルを受信することと、ここにおいて制御チャネルはアップリンク制御チャネルのためのスタートインジケータおよび帯域幅を示すリソースグラントを含む、スタートインジケータから対応するサブフレームの終わりまでの持続時間の間に、帯域幅にわたってアップリンク制御チャネルにおいて制御データを送信することと、を行うように構成される。
【００１７】
[0017]  さらなる例では、設定可能な帯域幅を使用して通信するための装置が提供される。装置は、サービングｅＮＢから制御チャネルを受信するための手段と、ここにおいて制御チャネルはアップリンク制御チャネルのためのスタートインジケータおよび帯域幅を示すリソースグラントを含む、スタートインジケータから対応するサブフレームの終わりまでの持続時間の間に、帯域幅にわたってアップリンク制御チャネルにおいて制御データを送信するための手段と、を含む。
【００１８】
[0018]  別の例では、設定可能な帯域幅を使用して通信するためのコンピュータ実行可能コードを記憶するコンピュータ可読媒体が、提供される。コードは、サービングｅＮＢから制御チャネルを受信するためのコードと、ここにおいて制御チャネルはアップリンク制御チャネルのためのスタートインジケータおよび帯域幅を示すリソースグラントを含む、スタートインジケータから対応するサブフレームの終わりまでの持続時間の間に、帯域幅にわたってアップリンク制御チャネルにおいて制御データを送信するためのコードと、を含む。
【００１９】
[0019]  上述した目的および関連する目的の達成のために、１つまたは複数の態様は、本書において後に十分に説明され、特許請求の範囲内において特に指摘される特徴を備える。次の説明および付属の図面は、１つまたは複数の態様のある特定の例示的な特徴を詳細に記載する。しかしながら、これらの特徴は、さまざまな態様の原理が使用され得るさまざまな方法のうちのごく一部しか示しておらず、本説明は、そのような態様およびそれらの同等物のすべてを含むことが意図されている。
【００２０】
[0020]  本書に説明される態様のより完全な理解を促すために、ここで添付の図面が参照され、ここにおいて同様の要素は、同様の番号を用いて言及される。これらの図面は、本開示を制限するものとして解釈されるべきではなく、単なる例であることが意図される。
【図面の簡単な説明】
【００２１】
【図１】[0021]  図１は、本書に説明される態様にしたがって、電気通信システムの例を概念的に例示するブロック図を示す。
【図２】[0022]  図２は、アクセスネットワークの例を例示する図である。
【図３】[0023]  図３は、アクセスネットワークにおける発展型ノードＢおよびユーザ機器の例を例示する図である。
【図４】[0024]  図４は、超低遅延（ＵＬＬ）帯域幅アロケーションのためのタイムラインの例を示す図である。
【図５】[0025]  図５は、本書に説明される態様にしたがってアップリンクチャネルアロケーションに関わる周波数分割多重（ＦＤＭ）および時分割多重（ＴＤＭ）アロケーションスペースの例を示す図である。
【図６】[0026]  図６は、本書に説明される態様にしたがってアップリンク共有データチャネルおよびアップリンク制御チャネルリソースアロケーションのためのＴＤＭアロケーションスペースの例を示す図である。
【図７】[0027]  図７は、本書に説明される態様にしたがって早期（early）および後期（late）帯域幅アロケーションを有するアップリンク共有データチャネルおよびアップリンク制御チャネルリソースアロケーションのためのＴＤＭアロケーションスペースの例を示す図である。
【図８】[0028]  図８は、本書に説明される態様にしたがってＵＬＬワイヤレス通信技術において規定されるチャネルにわたって通信するためのシステムの例を示す図である。
【図９】[0029]  図９は、本書に説明される態様にしたがってＦＤＭ共有アップリンクデータチャネルリソースアロケーションにわたって通信するための方法の例のフローチャートである。
【図１０】[0030]  図１０は、本書に説明される態様にしたがってＦＤＭ共有アップリンクデータチャネルリソースをスケジューリングするための方法の例のフローチャートである。
【図１１】[0031]  図１１は、本書に説明される態様にしたがってＴＤＭ共有アップリンクデータチャネルリソースアロケーションにわたって通信するための方法の例のフローチャートである。
【図１２】[0032]  図１２は、本書に説明される態様にしたがってＴＤＭ共有アップリンクデータチャネルリソースをスケジューリングするための方法の例のフローチャートである。
【図１３】[0033]  図１３は、本書に説明される態様にしたがってアップリンク制御チャネルリソースアロケーションにわたって通信するための方法の例のフローチャートである。
【図１４】[0034]  図１４は、本書に説明される態様にしたがってアップリンク制御チャネルリソースをスケジューリングするための方法の例のフローチャートである。
【発明を実施するための形態】
【００２２】
[0035]  添付された図面に関連して以下に記載される詳細な説明は、さまざまな構成の説明として意図され、本書に説明される概念が実施され得る唯一の構成を表すことは意図されない。詳細な説明は、さまざまな概念の完全な理解を提供することを目的とした特定の詳細を含む。しかしながら、これらの概念がこれらの特定の詳細なしで実現され得ることは、当業者に明らかであろう。いくつかの事例では、周知の構造およびコンポーネントが、このような概念を曖昧にすることを避けるために、ブロック図の形式で示される。
【００２３】
[0036]  これより、電気通信システムのいくつかの態様がさまざまな装置および方法に関連して提示される。これらの装置および方法は、以下の詳細な説明において記述され、添付の図面において、さまざまなブロック、モジュール、コンポーネント、回路、ステップ、処理、アルゴリズムなど（集合的には「要素」と呼ばれる）により例示されることになる。これらの要素は、電子ハードウェア、コンピュータソフトウェア、またはそれらの任意の組み合わせを使用してインプリメントされ得る。そのような要素がハードウェアとしてまたはソフトウェアとしてインプリメントされるかどうかは、特定のアプリケーションおよびシステム全体上に課せられる設計制約に依存する。
【００２４】
[0037]  例として、要素、または要素の任意の部分、または要素の任意の組み合わせは、１つまたは複数のプロセッサを含む「処理システム」を用いてインプリメントされ得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、離散ハードウェア回路、および本開示全体にわたって説明されるさまざまな機能を実行するように構成された他の適切なハードウェアがある。処理システム中の１つまたは複数のプロセッサは、ソフトウェアを実行し得る。ソフトウェアは、ソフトウェア、ファームウェア、ミドルウェア、マイクロコード、ハードウェア記述言語、またはその他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、などを意味するように広く解釈されるべきである。
【００２５】
[0038]  したがって、１つまたは複数の態様において、説明される機能は、ハードウェア、ソフトウェア、ファームウェア、またはそれらの任意の組み合わせにおいてインプリメントされ得る。ソフトウェアでインプリメントされる場合、機能は、コンピュータ可読媒体上で１つまたは複数の命令あるいはコードとして記憶もしくは符号化され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶装置、あるいは命令もしくはデータ構造の形で所望のプログラムコードを搬送または記憶するために使用されることができ、コンピュータによってアクセスされることができる任意の他の媒体を備えることができる。本書に使用される、ディスク（disk）およびディスク（disc）は、コンパクトディスク（ＣＤ）、レーザーディスク（登録商標）、光ディスク、デジタル多用途ディスク（ＤＶＤ）、およびフロッピー（登録商標）ディスクを含み、ディスク（disk）は通常、データを磁気的に再生するが、ディスク（disc）は、レーザを用いて光学的にデータを再生する。上記の組合せもまた、コンピュータ可読媒体の範囲内に含まれるべきである。
【００２６】
[0039]  超低遅延（ＵＬＬ）通信技術において通信チャネルを提供することに関するさまざまな態様が、本書に説明される。例えば、ＵＬＬ通信技術は、レガシワイヤレス通信技術、例えば、第３世代パートナーシッププロジェクト（３ＧＰＰ）ロングタームエボリューション（ＬＴＥ）、に基づき得るが、異なる長さの送信時間インターバル（ＴＴＩ）を使用し得る（例えば、ＵＬＬ通信技術は、レガシ通信技術より短いＴＴＩ持続時間を有し得る）。例えば、レガシＬＴＥ技術は、（例えば１ミリ秒の、）ＬＴＥにおいて規定されているサブフレームの持続時間を有するＴＴＩを利用し得る、ここにおいて超低遅延（ＵＬＬ）ＬＴＥ技術は、（例えば、１シンボル、２シンボル、サブフレームスロットなどの、）サブフレーム未満の持続時間を有するＴＴＩに基づくことができる。これに関連して、通信におけるより小さい遅延が、より短い、より高頻度なＴＴＩによって達成される。さまざまな通信チャネルが、（例えば、ユーザ機器（ＵＥ）から進化型ノードＢ（ｅＮＢ）または他のネットワークノードへ）アップリンク上で制御データを通信するためのＵＬＬ物理アップリンク制御チャネル（ｕＰＵＣＣＨ）、（ＵＬＬ物理アップリンク共有チャネル（ｕＰＵＳＣＨ）のためのアロケーションスペースが複数のＵＥのためのリソースを含み得、したがって「共有」である場合、）アップリンク上でトラフィックデータを通信するためのＵＬＬ ｕＰＵＳＣＨ、など、を含めて、ＵＬＬ通信技術のために、提供されることができる。例えば、ｅＮＢは、ＵＬＬアップリンクチャネル上での通信を促進するために、１つまたは複数のＵＥにアロケーションスペース上のリソースをアロケートする（allocate）かつアサインする（assign）ことができる。
【００２７】
[0040]  例えば、ＵＬＬアップリンクチャネルは、周波数分割多重（ＦＤＭ）／周波数分割複信（ＦＤＤ）構成および／または時分割多重（ＴＤＭ）／時分割複信（ＴＤＤ）構成で提供されることができる。本書でＦＤＤおよびＴＤＤが言及される場合、本書に説明される機能が同様にＦＤＭおよびＴＤＭに適用されることができ、逆の場合も同様であることが理解されるべきである。一例では、ＦＤＭにおいて、アロケーションスペースにおける周波数リソース（例えばリソースブロック）の部分は、時分割されることができ、ダウンリンク通信を含み得、それは、（リソースがアロケートされない場合）ガード期間が後続し得、サブフレームの終わりへのアップリンク通信のためのアロケーションが後続し、所定のＵＥによって周波数が異なり得る。アロケーションスペースは、時間の部分に対する（over）周波数の部分に言及することができる（例えば、システム帯域幅、例えばＬＴＥにおける２０メガヘルツ（ＭＨｚ）、および／または１つまたは複数の直交周波数分割多重（ＯＦＤＭ）またはシングルキャリア（ＳＣ）−ＦＤＭのシンボル、例えばＬＴＥにおけるサブフレームに対する（over）１つまたは複数の対応するリソースブロック）。かくして、アロケーションは、ＦＤＭにおいてスタートインジケータがｕＰＵＳＣＨのための時間（例えば、シンボル）の開始部分を示すためにリソースグラントに含まれることができるように、動的であることができる。別の例では、ＴＤＭで、アロケーションスペースにおける時間（例えばシンボル）の各部分は、リソースが第１に周波数で、第２に時間で、連続してアサインされるように、周波数分割されることができる。一例では、サブフレームにおける第１のシンボルを含む複数の連続したシンボルは、ダウンリンク通信のためにアロケートされることができ、それは、ガード期間の１つまたは複数のシンボルが後続し、（例えば、サブフレームの終わりまで）ｕＰＵＳＣＨアロケーションが後続し得る。この例では、ｕＰＵＳＣＨアロケーションのためのスタートインジケータおよびエンドインジケータは、リソースグラントに含まれることができ、ここにおいてスタートインジケータは、ＵＥのためのｕＰＵＳＣＨアロケーションが開始するリソースブロック（例えば期間における周波数の部分）を特定し、エンドインジケータは、ｕＰＵＳＣＨアロケーションの最後のリソースブロックを特定する。
【００２８】
[0041]  さらに、例えば、アロケーションスペースにおける周波数の部分は、ダウンリンク通信を含むように時分割される（divided in time）ことができ、それには、ガード期間が後続し、ガード期間には、サブフレームの終わりまで１つまたは複数の期間が後続し得る、ここにおいて１つまたは複数の期間の少なくとも一部分は、周波数の部分にわたってｕＰＵＣＣＨアロケーションを含むことができる。例えば、周波数の部分は、１つまたは複数の期間の部分（例えば、１つまたは複数のＯＦＤＭまたはＳＣ−ＦＤＭシンボルの部分）に対する（over）周波数の最初の部分および最後の部分（例えば、周波数における最初のリソースブロックの最初の部分および周波数における最後のリソースブロックの最後の部分）を含むことができる。この例では、ｕＰＵＣＣＨリソースグラントは、ｕＰＵＣＣＨアロケーションが開始する期間を識別するスタートインジケータ、および／または、ｕＰＵＣＣＨアロケーションのための１つまたは複数の周波数リソースのインジケータを含むことができる。一例では、１つまたは複数の期間の部分はまた、ｕＰＵＣＣＨに対してアロケートされない周波数の部分におけるｕＰＵＳＣＨアロケーションのために使用されることができる。さらに、例えば、ｕＰＵＣＣＨアロケーションは、時間的に離間されたアロケーションスペースにおける複数のｕＰＵＣＣＨリソースを含み得、それの一番目は、（それがアロケーションスペースにおけるｕＰＵＣＣＨリソースの２番目の帯域幅の前の時間内に生じる場合に）早期帯域幅と呼ばれ得、より時間感度の高い制御データ、例えば、ハイブリッド自動再送／要求（ＨＡＲＱ）フィードバックを含み得る。
【００２９】
[0042]  まず図１を参照すると、図は、本書に説明される態様にしたがって、ワイヤレス通信システム１００の例を示す。ワイヤレス通信システム１００は、複数のアクセスポイント（例えば、基地局、ｅＮＢ、またはＷＬＡＮアクセスポイント）１０５、複数のユーザ機器（ＵＥ）１１５、およびコアネットワーク１３０を含む。アクセスポイント１０５は、ＵＬＬ通信技術を使用して１つまたは複数のチャネルにわたってＵＥ１１５と通信するためのリソースをアロケートするように構成されたスケジューリングコンポーネント３０２を含み得る。同様に、ＵＥ１１５の１つまたは複数は、ＵＬＬ通信技術（例えば、ＵＬＬ ＬＴＥ）を使用して１つまたは複数のチャネルにわたって１つまたは複数のアクセスポイント１０５と通信するように構成された通信コンポーネント３６１を含み得る。アクセスポイント１０５のいくつかは、（示されていない）基地局コントローラの制御下でＵＥ１１５と通信し得、それは、さまざまな例においてコアネットワーク１３０または特定のアクセスポイント１０５（例えば基地局またはｅＮＢ）の一部であり得る。アクセスポイント１０５は、バックホールリンク１３２を通じてコアネットワーク１３０と制御情報および／またはユーザデータを通信し得る。複数の例において、アクセスポイント１０５は、有線または無線の通信リンクであり得るバックホールリンク１３４上で互いに、直接的にあるいは間接的に、通信し得る。ワイヤレス通信システム１００は、複数のキャリア（異なる周波数の波形信号）上の動作をサポートし得る。マルチキャリア送信機は、変調された信号を複数のキャリア上で同時に送信することができる。例えば、各通信リンク１２５は、上述したさまざまな無線技術に従って変調されたマルチキャリア信号であり得る。各変調された信号は、異なるキャリア上で送られ得、制御情報（例えば、基準信号、制御チャネルなど）、オーバーヘッド情報、データなどを搬送し得る。
【００３０】
[0043]  いくつかの例では、ワイヤレス通信システム１００の少なくとも一部分は、複数の階層レイヤ上で動作するように構成され得、そこでは、ＵＥ１１５の１つまたは複数、およびアクセスポイント１０５の１つまたは複数が、別の階層レイヤに対して低減された遅延を有する階層レイヤにおいて送信をサポートするように構成され得る。いくつかの例では、ハイブリッドＵＥ１１５−ａは、（「レガシ通信技術」に関連し得る）第１のＴＴＩを使用して第１のレイヤ送信をサポートする第１の階層レイヤと、（「ＵＬＬ通信技術」に関連し得る）第１のＴＴＩより短い第２のＴＴＩを使用して第２のレイヤ送信をサポートする第２の階層レイヤとの両方において、アクセスポイント１０５−ａと通信し得る。
【００３１】
[0044]  他の例では、第２のレイヤＵＥ１１５−ｂは、第２の階層レイヤのみにおいてアクセスポイント１０５−ｂと通信し得る。かくして、ハイブリットＵＥ１１５−ａおよび第２のレイヤＵＥ１１５−ｂは、第２の階層レイヤにおいて通信し得るＵＥ１１５の第２のクラスに属し得、一方で、レガシＵＥ１１５は、第１の階層レイヤのみで通信し得るＵＥ１１５の第１のクラスに属し得る。アクセスポイント１０５−ｂおよびＵＥ１１５−ｂは、第２のサブフレームタイプのサブフレームの送信を通じて第２の階層レイヤにおいて通信し得る。アクセスポイント１０５−ｂは、第１の階層レイヤのみまたは第２の階層レイヤのみに関連する通信を送信し得、第１および第２両方の階層レイヤのための通信を送信し得る。アクセスポイント１０５−ｂが第１および第２両方の階層レイヤをサポートする場合、通信コンポーネント３６１は、本書に説明されるように第１および第２の階層レイヤに関連するアクセスポイント１０５−ｂから受信される通信を優先するように構成されることができる。
【００３２】
[0045]  アクセスポイント１０５は、１つまたは複数のアクセスポイントアンテナを介してＵＥ１１５とワイヤレスで通信し得る。アクセスポイント１０５のサイトの各々は、それぞれのカバレッジエリア１１０のための通信カバレッジを提供し得る。いくつかの例において、アクセスポイント１０５は、トランシーバ基地局、無線基地局、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の適した用語で称され得る。基地局のためのカバレッジエリア１１０は、カバレッジエリア（図示せず）の部分のみを構成するセクタに分割され得る。ワイヤレス通信システム１００は、異なるタイプ（例えば、マクロ、マイクロ、および／またはピコ基地局）のアクセスポイント１０５を含み得る。アクセスポイント１０５はまた、異なる無線技術、例えば、セルラおよび／またはＷＬＡＮ無線アクセス技術（ＲＡＴ）、を利用し得る。アクセスポイント１０５は、同じまたは異なるアクセスネットワークあるいはオペレータ展開に関連付けられ得る。同じまたは異なるタイプのアクセスポイント１０５のカバレッジエリアを含み、同じまたは異なる無線技術を利用し、および／または、同じまたは異なるアクセスネットワークに属する異なるアクセスポイント１０５のカバレッジエリアは、重複し得る。
【００３３】
[0046]  ＬＴＥ／ＬＴＥ−Ａおよび／またはＵＬＬ ＬＴＥ通信技術を使用するネットワーク通信システムでは、発展型ノードＢ（ｅノードＢまたはｅＮＢ）という用語は概して、アクセスポイント１０５を説明するために使用され得る。ワイヤレス通信システム１００は、異なるタイプのアクセスポイントがさまざまな地理的領域にカバレッジを提供する異種ＬＴＥ／ＬＴＥ−Ａ／ＵＬＬ ＬＴＥネットワークであり得る。例えば、各アクセスポイント１０５は、マクロセル、ピコセル、フェムトセル、および／または他のタイプのセルのための通信カバレッジを提供し得る。ピコセル、フェムトセルのようなスモールセル、および／または他のタイプのセルは、低電力ノードすなわちＬＰＮを含み得る。マクロセルは、比較的大きい地理的エリア（例えば、半径数キロメートル）をカバーし得、ネットワークプロバイダとのサービスに加入しているＵＥ１１５による無制限のアクセスを可能にし得る。スモールセルは、比較的小さい地理的エリアをカバーし得、例えばネットワークプロバイダとのサービスに加入しているＵＥ１１５による無制限のアクセスを可能にし得、無制限のアクセスに加えて、スモールセルとの関連付けを有するＵＥ１１５（例えば、クローズド加入者グループ（ＣＳＧ）中のＵＥ、家の中にいるユーザのためのＵＥなど）による制限されたアクセスも提供し得る。マクロセルのためのｅＮＢは、マクロｅＮＢと呼ばれ得る。スモールセルのためのｅＮＢは、スモールセルｅＮＢと呼ばれ得る。ｅＮＢは、１つまたは複数の（例えば、２つ、３つ、４つ、などの）セルをサポートし得る。
【００３４】
[0047]  コアネットワーク１３０は、１つまたは複数のバックホールリンク１３２（例えば、Ｓ１インターフェースなど）を介してｅＮＢまたは他のアクセスポイント１０５と通信し得る。アクセスポイント１０５はまた、例えば、バックホールリンク１３４（例えば、Ｘ２インターフェースなど）を介して、および／またはバックホールリンク１３２を介して（例えば、コアネットワーク１３０を通じて）、直接的にまたは間接的に、互いに通信し得る。ワイヤレス通信システム１００は、同期または非同期動作をサポートし得る。同期動作の場合、アクセスポイント１０５は、類似したフレームタイミングを有し得、異なるアクセスポイント１０５からの送信が時間的にほぼアラインされ得る。非同期動作の場合、アクセスポイント１０５は、異なるフレームタイミングを有し得、異なるアクセスポイント１０５からの送信が時間的にアラインされない場合がある。さらに、第１の階層レイヤおよび第２の階層レイヤにおける送信は、アクセスポイント１０５間で同期化される場合も、同期化されない場合もある。本書に説明される技術は、同期または非同期動作のいずれかに使用され得る。
【００３５】
[0048]  ＵＥ１１５は、ワイヤレス通信システム１００全体にわたって分散されており、各ＵＥ１１５は、固定式または移動式であり得る。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語で当業者によって呼ばれ得る。ＵＥ１１５は、セルラ電話、パーソナルデジタルアシスタント（ＰＤＡ）、ワイヤレスモデム、ワイヤレス通信デバイス、ハンドヘルドデバイス、タブレットコンピュータ、ラップトップコンピュータ、コードレス電話、腕時計またはメガネのようなウェアラブルアイテム、ワイヤレスローカルループ（ＷＬＬ）局、などであり得る。ＵＥ１１５は、マクロｅノードＢ、スモールセルｅノードＢ、中継器などと通信することが可能であり得る。ＵＥ１１５はまた、ＷＬＡＮアクセスネットワーク、またはセルラあるいは他のＷＷＡＮアクセスネットワークのような異なるアクセスネットワーク上で通信することが可能であり得る。
【００３６】
[0049]  ワイヤレス通信システム１００中に示される通信リンク１２５は、ＵＥ１１５からアクセスポイント１０５へのアップリンク（ＵＬ）送信、および／またはアクセスポイント１０５からＵＥ１１５へのダウンリンク（ＤＬ）送信を含み得る。ダウンリンク送信は、順方向リンク送信とも呼ばれ得、一方でアップリンク送信は、逆方向リンク送信とも呼ばれ得る。通信リンク１２５は、各階層レイヤの送信を搬送し得、それは、いくつかの例において、通信リンク１２５において多重化され得る。ＵＥ１１５は、例えば、多入力多出力（ＭＩＭＯ）、キャリアアグリゲーション（ＣＡ）、多地点協調（ＣｏＭＰ）、または他のスキームを通じて、複数のアクセスポイント１０５と協調して通信するように構成され得る。ＭＩＭＯ技法は、複数のデータストリームを送信するためにＵＥ１１５において複数のアンテナおよび／またはアクセスポイント１０５上の複数のアンテナを使用する。キャリアアグリゲーションは、データ送信のための同じまたは異なるサービングセルにおいて２つ以上のコンポーネントキャリアを使用し得る。ＣｏＭＰは、ネットワークおよびスペクトル利用を増加させることに加え、ＵＥ１１５のための全送信品質を向上させるために、複数のアクセスポイント１０５による送信および受信の調整のための技術を含み得る。
【００３７】
[0050]  述べられたように、いくつかの例では、アクセスポイント１０５およびＵＥ１１５は、複数のキャリアにおいて送信するためにキャリアアグリゲーションを使用し得る。いくつかの例では、アクセスポイント１０５およびＵＥ１１５は、フレーム内で、第１の階層レイヤにおいて、各々２つ以上の別個のキャリアを使用して第１のサブフレームタイプを有する１つまたは複数のサブフレームを同時に送信し得る。各キャリアは、他の帯域幅も使用され得るが、例えば２０ＭＨｚの帯域幅を有し得る。ハイブリットＵＥ１１５−ａ、および／または第２のレイヤＵＥ１１５−ｂは、特定の例では、別個のキャリアの１つまたは複数の帯域幅より大きい帯域幅を有するシングルキャリアを使用して第２の階層レイヤにおいて１つまたは複数のサブフレームを受信および／または送信し得る。例えば、４つの別個の２０ＭＨｚキャリアが第１の階層レイヤにおいてキャリアアグリゲーションスキームで使用される場合、シングル８０ＭＨｚキャリアは第２の階層レイヤにおいて使用され得る。８０ＭＨｚキャリアは、４つの２０ＭＨｚキャリアの１つまたは複数によって使用される無線周波数スペクトルに少なくとも部分的に重複する無線周波数スペクトルの一部分を占有し得る。いくつかの例では、第２の階層レイヤタイプに関わる拡張可能な帯域幅は、上述のような比較的短いＲＴＴを提供してさらなる高度なデータレートを提供するための組み合された技術であり得る。
【００３８】
[0051]  ワイヤレス通信システム１００によって使用され得る異なる動作モードの各々は、周波数分割複信（ＦＤＤ）または時分割複信（ＴＤＤ）にしたがって動作し得る。いくつかの例では、異なる階層レイヤは、異なるＴＤＤまたはＦＤＤモードにしたがって動作し得る。例えば、第１の階層レイヤは、ＦＤＤにしたがって動作し得、一方で、第２の階層レイヤは、ＴＤＤにしたがって動作する。いくつかの例では、ＯＦＤＭＡ通信信号は、各階層レイヤでのＬＴＥダウンリンク送信のために通信リンク１２５で使用され得、一方で、シングルキャリア周波数分割多重接続（ＳＣ−ＦＤＭＡ）通信信号は、各階層レイヤでのＬＴＥアップリンク送信のために通信リンク１２５で使用され得る。ワイヤレス通信システム１００のようなシステムにおける階層レイヤのインプリメンテーションに関わるさらなる詳細は、このようなシステムにおける通信に関わる他の特徴および機能と共に、下記の図を参照して以下に提示される。
【００３９】
[0052]  図２は、ＬＴＥまたはＵＬＬ ＬＴＥネットワークアーキテクチャにおけるアクセスネットワーク２００の例を例示する図である。この例では、アクセスネットワーク２００が、複数のセルラ領域（セル）２０２に分割されている。１つまたは複数のスモールセルｅＮＢ２０８は、セル２０２のうちの１つまたは複数と重複するセルラ領域２１０を有し得る。スモールセルｅＮＢ２０８は、より低い電力クラスの１つまたは複数のセル、例えばフェムトセル（例えば、ホームｅＮＢ（ＨｅＮＢ））、ピコセル、マイクロセル、または、遠隔無線ヘッド（ＲＲＨ）を提供し得る。マクロｅＮＢ２０４は各々、それぞれのセル２０２にアサインされ、セル２０２におけるすべてのＵＥ２０６に対してコアネットワーク１３０へのアクセスポイントを提供するように構成される。一態様では、ｅＮＢ２０４および／または２０８は、ＵＬＬ通信技術を使用して１つまたは複数のチャネルにわたってＵＥ２０６と通信するためのリソースをアロケートするように構成されたスケジューリングコンポーネント３０２を含み得る。同様に、ＵＥ２０６の１つまたは複数は、ＵＬＬ通信技術（例えば、ＵＬＬ ＬＴＥ）を使用して１つまたは複数のチャネルにわたって１つまたは複数のｅＮＢ２０４および／または２０８と通信するように構成された通信コンポーネント３６１を含み得る。アクセスネットワーク２００のこの例では集中制御装置（centralized controller）は存在しないが、代替の構成では、集中制御装置が使用され得る。ｅＮＢ２０４は、無線ベアラ制御、アドミッション制御、モビリティ制御、スケジューリング、セキュリティ、およびコアネットワーク１３０の１つまたは複数のコンポーネントへの接続性を含む、すべての無線に関連する機能を担う。
【００４０】
[0053]  アクセスネットワーク２００によって使用される変調および多元接続スキームは、展開されている特定の電気通信規格によって異なり得る。ＬＴＥまたはＵＬＬ ＬＴＥアプリケーションでは、周波数分割複信（ＦＤＤ）および時分割複信（ＴＤＤ）の両方をサポートするために、ＯＦＤＭがＤＬ上で使用され得、ＳＣ−ＦＤＭＡがＵＬ上で使用され得る。以下の詳細な説明から当業者が容易に理解するように、本書に提示されるさまざまな概念は、ＬＴＥアプリケーションによく適している。しかしながら、これらの概念は、他の変調および多元接続技法を用いる他の電気通信規格まで容易に拡大され得る。例として、これらの概念は、エボリューションデータオプティマイズド（Evolution-Data Optimized）（ＥＶ−ＤＯ）またはウルトラモバイルブロードバンド（ＵＭＢ）まで拡大され得る。ＥＶ−ＤＯおよびＵＭＢは、ＣＤＭＡ２０００規格ファミリーの一部として、３世代パートナーシッププロジェクト２（３ＧＰＰ２）によって公表されたエアインタフェース規格であり、ブロードバンドインターネットアクセスをモバイル局に提供するためにＣＤＭＡを用いる。これらの概念はまた、広帯域ＣＤＭＡ（Ｗ−ＣＤＭＡ（登録商標））、およびＴＤ−ＳＣＤＭＡのようなＣＤＭＡの他の変形を用いるユニバーサル地上無線アクセス（ＵＴＲＡ）、ＴＤＭＡを用いるモバイル通信のためのグローバルシステム（ＧＳＭ（登録商標））、およびＯＦＤＭＡを用いるフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、および発展型ＵＴＲＡ（Ｅ−ＵＴＲＡ）まで拡大され得る。ＵＴＲＡ、Ｅ−ＵＴＲＡ、ＵＭＴＳ、ＬＴＥ、およびＧＳＭは、３ＧＰＰの組織からの文書で説明されている。ＣＤＭＡ２０００およびＵＭＢは、３ＧＰＰ２の組織からの文書で説明されている。用いられる実際のワイヤレス通信規格および多元接続技術は、特定のアプリケーションおよびシステム上に課せられる全体的な設計制約に依存するであろう。
【００４１】
[0054]  ｅＮＢ２０４は、ＭＩＭＯ技術をサポートする複数のアンテナを有し得る。ＭＩＭＯ技術の使用は、ｅＮＢ２０４が、空間多重化、ビームフォーミング、および送信ダイバーシティをサポートするために空間ドメインを活用することを可能にする。空間多重化は、同じ周波数上で同時にデータの異なるストリームを送信するために使用され得る。データストリームは、データレートを増大させるために単一のＵＥ２０６に、または、全システム容量を増大させるために複数のＵＥ２０６に、送信され得る。これは、各データストリームを空間的にプリコーディングし（すなわち、振幅および位相のスケーリングを適用し）、その後、ＤＬ上の複数の送信アンテナを通じて各空間的にプリコーディングされたストリームを送信することによって、達成される。空間的にプリコーディングされたデータストリームは、異なる空間シグネチャとともに（１つまたは複数の）ＵＥ２０６に到着し、これは、（１つまたは複数の）ＵＥ２０６の各々が、そのＵＥ２０６宛ての１つまたは複数のデータストリームを復元することを可能にする。ＵＬ上において、各ＵＥ２０６は、空間的にプリコーディングされたデータストリームを送信し、それは、ｅＮＢ２０４が、各空間的にプリコーディングされたデータストリームのソースを識別することを可能にする。
【００４２】
[0055]  空間多重化は概して、チャネル条件が良好なときに使用される。チャネル条件があまり良好でないとき、１つまたは複数の方向に送信エネルギーを集中させるためにビームフォーミングが使用され得る。これは、複数のアンテナを通じた送信のためにデータを空間的にプリコーディングすることによって達成され得る。セルの端で良好なカバレッジを達成するために、シングルストリームのビームフォーミング送信が、送信ダイバーシティと組み合わせて使用され得る。
【００４３】
[0056]  以下の詳細な説明において、アクセスネットワークのさまざまな態様が、ＤＬ上でＯＦＤＭをサポートするＭＩＭＯシステムに関連して説明される。ＯＦＤＭは、ＯＦＤＭシンボル内の複数のサブキャリアにわたってデータを変調する拡散スペクトル技術である。サブキャリアは、正確な周波数で離間されている。離間することは、受信機が、サブキャリアからのデータを復元することを可能にする「直交性（orthogonality）」を提供する。時間ドメインでは、ＯＦＤＭシンボル間干渉に対抗するために、各ＯＦＤＭシンボルにガードインターバル（例えば、サイクリックプリフィックス）が追加され得る。ＵＬは、高いピーク対平均電力比（ＰＡＰＲ）を補償するために、ＤＦＴ拡散ＯＦＤＭ信号の形態でＳＣ−ＦＤＭＡを使用し得る。
【００４４】
[0057]  図３は、アクセスネットワークにおいてＵＥ３５０と通信するｅＮＢ３１０のブロック図である。ＤＬにおいて、コアネットワークからの上位レイヤパケットは、コントローラ／プロセッサ３７５に提供される。コントローラ／プロセッサ３７５は、Ｌ２レイヤの機能をインプリメントする。ＤＬにおいて、コントローラ／プロセッサ３７５は、さまざまな優先度メトリック（priority metric）に基づいたＵＥ３５０への無線リソースアロケーション、論理チャネルとトランスポートチャネルとの間での多重化、パケットセグメンテーションおよび並び替え、暗号化、およびヘッダ圧縮を提供する。コントローラ／プロセッサ３７５はまた、ＨＡＲＱ動作、損失パケットの再送信、およびＵＥ３５０へのシグナリングを担う。
【００４５】
[0058]  送信（ＴＸ）プロセッサ３１６は、Ｌ１レイヤ（すなわち、物理レイヤ）のためのさまざまな信号処理機能をインプリメントする。信号処理機能は、ＵＥ３５０における前方誤り訂正（ＦＥＣ）を容易にするためにコーディングおよびインターリーブすることと、さまざまな変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンスタレーションにマッピングすることとを含む。そして、コード化されたおよび変調されたシンボルは、並列ストリームに分裂される。各ストリームはその後、ＯＦＤＭサブキャリアにマッピングされ、時間および／または周波数ドメインにおいて基準信号（例えば、パイロット信号）で多重化され、その後、逆高速フーリエ変換（ＩＦＦＴ）を使用してともに組み合わされて、時間ドメインＯＦＤＭシンボルストリームを搬送する物理チャネルを生成する。ＯＦＤＭストリームは、複数の空間ストリームを生成するために、空間的にプリコードされる。チャネル推定器３７４からのチャネル推定値は、コーディングおよび変調スキームを決定するために、ならびに空間処理のために使用され得る。チャネル推定は、ＵＥ３５０によって送信されるチャネル状態フィードバック、および／または、基準信号から得られ得る。各空間ストリームはその後、別個の送信機３１８ＴＸを介して異なるアンテナ３２０に提供される。各送信機３１８ＴＸは、送信のためにそれぞれの空間ストリームでＲＦキャリアを変調する。一態様では、ｅＮＢ３１０は、ＵＬＬ通信技術を使用して１つまたは複数のチャネルにわたってＵＥ３５０と通信するためのリソースをアロケートするように構成されたスケジューリングコンポーネント３０２を含み得る。例えば、スケジューリングコンポーネント３０２がコントローラ／プロセッサ３７５と結合されているように示されているが、実質的には、ｅＮＢ３１０のいかなるプロセッサも、スケジューリングコンポーネント３０２および／または（例えば、コントローラ／プロセッサ３７５、メモリ３７６またはその他に関連して）本書に説明されるそれに関連するコンポーネントの機能を、提供することができる。例えば、ＴＸプロセッサ３１６および／またはＲＸプロセッサ３７０は、さらに、または代替として、本書に説明されるように、スケジューリングコンポーネント３０２の１つまたは複数の機能を提供することができる。
【００４６】
[0059]  ＵＥ３５０では、各受信機３５４ＲＸは、そのそれぞれのアンテナ３５２を通じて信号を受信する。各受信機３５４ＲＸは、ＲＦキャリアに変調された情報を復元し、受信（ＲＸ）プロセッサ３５６にその情報を提供する。ＲＸプロセッサ３５６は、Ｌ１レイヤのさまざまな信号処理機能をインプリメントする。ＲＸプロセッサ３５６は、ＵＥ３５０に宛てられた任意の空間ストリームを復元するために、情報に対して空間処理を実施する。複数の空間ストリームは、ＵＥ３５０に宛てられる場合、ＲＸプロセッサ３５６によってシングルＯＦＤＭシンボルストリームに組み合わされ得る。ＲＸプロセッサ３５６はその後、高速フーリエ変換（ＦＦＴ）を使用して、ＯＦＤＭシンボルストリームを時間ドメインから周波数ドメインに変換する。周波数ドメイン信号は、ＯＦＤＭ信号の各サブキャリアに対して別個のＯＦＤＭシンボルストリームを備える。各サブキャリア上のシンボル、および基準信号は、ｅＮＢ３１０によって送信された最も可能性の高い信号コンスタレーションポイントを決定することによって復元および復調される。これらの軟判定は、チャネル推定器３５８によって計算されるチャネル推定値に基づき得る。軟判定はその後、物理チャネル上でｅＮＢ３１０によって当初送信されたデータおよび制御信号を復元するために、復号およびデインターリーブされる。データおよび制御信号はその後、コントローラ／プロセッサ３５９に提供される。
【００４７】
[0060]  コントローラ／プロセッサ３５９は、Ｌ２レイヤをインプリメントする。コントローラ／プロセッサは、プログラムコードおよびデータを記憶するメモリ３６０に関連付けられることができる。メモリ３６０は、コンピュータ可読媒体と呼ばれ得る。ＵＬにおいて、コントローラ／プロセッサ３５９は、コアネットワークからの上位レイヤパケットを復元するために、トランスポートチャネルと論理チャネルとの間での逆多重化、パケットのリアセンブリ、暗号解読、ヘッダの解凍、制御信号処理を提供する。その後、上位レイヤパケットは、データシンク３６２に提供され、それは、Ｌ２レイヤより上位のすべてのプロトコルレイヤを表す。さまざまな制御信号もまた、Ｌ３処理のためにデータシンク３６２に提供され得る。コントローラ／プロセッサ３５９はまた、ＨＡＲＱ動作をサポートするために、肯定応答（ＡＣＫ）および／または否定応答（ＮＡＣＫ）プロトコルを使用して誤り検出を担う。さらに、通信コンポーネント３６１は、ＵＬＬ通信技術（例えば、ＵＬＬ ＬＴＥ）を使用して１つまたは複数のチャネルにわたって１つまたは複数のアクセスポイント１０５と通信するように構成されている。例えば、通信コンポーネント３６１がコントローラ／プロセッサ３５９と結合されているように示されているが、実質的には、ＵＥ３５０のいかなるプロセッサも、通信コンポーネント３６１および／または（例えば、コントローラ／プロセッサ３５９、メモリ３６０またはその他に関連して）本書に説明されるそれに関連するコンポーネントの機能を、提供することができる。例えば、ＴＸプロセッサ３６８および／またはＲＸプロセッサ３５６は、さらに、または代替として、本書に説明されるように、通信コンポーネント３６１の１つまたは複数の機能を提供することができる。
【００４８】
[0061]  ＵＬでは、データソース３６７は、コントローラ／プロセッサ３５９に上位レイヤパケットを提供するために使用される。データソース３６７は、Ｌ２レイヤより上位のすべてのプロトコルレイヤを表す。ｅＮＢ３１０によるＤＬ送信に関して説明された機能と同様に、コントローラ／プロセッサ３５９は、ｅＮＢ３１０による無線リソースアロケーションに基づいて、ヘッダ圧縮、暗号化、パケットセグメンテーションと並べ替え、および論理チャネルとトランスポートチャネルとの間の多重化を提供することによって、ユーザプレーンおよび制御プレーンのためのＬ２レイヤをインプリメントする。コントローラ／プロセッサ３５９はまた、ＨＡＲＱ動作、損失パケットの再送、ｅＮＢ３１０へのシグナリングを担う。
【００４９】
[0062]  ｅＮＢ３１０によって送信されたフィードバックまたは基準信号からチャネル推定器３５８によって導出されたチャネル推定値は、適切なコーディングおよび変調スキームを選択することと、空間処理を容易にすることとを行うために、ＴＸプロセッサ３６８によって使用され得る。ＴＸプロセッサ３６８によって生成される空間ストリームは、個別の送信機３５４ＴＸを介して異なるアンテナ３５２に提供される。各送信機３５４ＴＸは、送信のためのそれぞれの空間ストリームでＲＦキャリアを変調する。
【００５０】
[0063]  ＵＬ送信は、ＵＥ３５０における受信機機能に関連して説明されたのと同様の方法で、ｅＮＢ３１０において処理される。各受信機３１８ＲＸは、そのそれぞれのアンテナ３２０を通じて信号を受信する。各受信機３１８ＲＸは、ＲＦキャリアに変調された情報を復元し、ＲＸプロセッサ３７０にその情報を提供する。ＲＸプロセッサ３７０は、Ｌ１レイヤをインプリメントし得る。
【００５１】
[0064]  コントローラ／プロセッサ３７５は、Ｌ２レイヤをインプリメントする。コントローラ／プロセッサ３７５は、プログラムコードおよびデータを記憶するメモリ３７６に関連付けされることができる。メモリ３７６は、コンピュータ可読媒体と呼ばれ得る。ＵＬにおいて、コントローラ／プロセッサ３７５は、ＵＥ３５０からの上位レイヤパケットを復元するために、トランスポートチャネルと論理チャネルとの間での逆多重化、パケットのリアセンブリ、暗号解読、ヘッダの解凍、制御信号処理を提供する。コントローラ／プロセッサ３７５からの上位レイヤパケットは、コアネットワークに提供され得る。コントローラ／プロセッサ３７５はまた、ＨＡＲＱ動作をサポートするために、ＡＣＫおよび／またはＮＡＣＫプロトコルを使用して誤り検出を担う。
【００５２】
[0065]  図４は、ワイヤレス通信システムにおけるＵＬＬ通信を管理するための、図面において左から右に延びる時間進行で、ＵＬＬタイムライン４００、４０２の非制限的な例を示す図である。この例では、タイムライン４００、４０２は、サブフレームの各シンボルにおいてシンボル持続時間のＵＬＬフレームを含む。タイムライン４００、４０２の両方は、ＵＬＬ物理ダウンリンク制御チャネル（ｕＰＤＣＣＨ）および／またはＵＬＬ物理ダウンリンク共有チャネル（ｕＰＤＳＣＨ）のためのＴＴＩを表すシンボルと、ＵＬＬ物理アップリンク制御チャネル（ｕＰＵＣＣＨ）および／またはＵＬＬ物理アップリンク共有チャネル（ｕＰＵＳＣＨ）を含むＴＴＩを表すシンボルとを図示する。タイムライン４００では、１４個のシンボルが、（例えば、通常のＣＰに関わる）所定のサブフレーム内に示されており、タイムライン４０２では、１２個のシンボルが、（例えば、拡張されたＣＰに関わる）所定のサブフレーム内に示されている。どちらの場合でも、より小さい遅延が、シンボルベースのＴＴＩを使用することによってＵＬＬにおいて獲得される。他の例では、ＴＴＩは、２つ以上のシンボル、（サブフレームが２つのスロットを含む場合の）サブフレームのうちのスロットなどであり得る。さらに、ＨＡＲＱプロセス応答時間は、３つのシンボル（または４つのシンボル、３つの二重シンボル（dual-symbol）、３つのスロットなど）であることができる。図示されている例において、ｕＰＤＣＣＨ／ｕＰＤＳＣＨは、シンボル０において送られ、ＨＡＲＱは、サブフレームにおいてシンボル４などで送られ且つ処理される。さらに、本書に説明される態様にしたがって、所定のサブフレーム内のいくつかのシンボルは、ダウンリンク通信（例えば、ｕＰＤＣＣＨ／ｕＰＤＳＣＨ）のためにアロケートされることができ、一方で、他のシンボルは、アップリンク通信（例えば、ｕＰＵＣＣＨ／ｕＰＵＳＣＨ）のためにアロケートされる。
【００５３】
[0066]  図５は、ＵＬＬワイヤレス通信におけるアロケーションスペース５００および５０２にわたるリソースアロケーションの非制限的な例を示す図である。アロケーションスペース５００では、リソースは、（垂直方向に示されている）周波数の所定の部分が（水平方向に示されている）時間の部分に対して所定のＵＥにアロケートされることができるように、ＦＤＭにおいてアロケートされる。この例では、所定の周波数にわたるリソースは、時間の第１の部分５１０においてダウンリンクチャネルのためにアサインされ、リソースがアロケートされない場合に時間の第２の部分５１２においてガード期間（ＧＰ）が後続し、時間の第３の部分５１４においてアップリンクチャネルのためにアサインされた所定の周波数にわたるリソースが後続する。示されているように、例えば、周波数の異なる部分は、ダウンリンクチャネル、ＧＰ、およびアップリンクチャネルのための時間の異なる部分にわたってアロケートされることができる。一例では、例えば、ダウンリンクチャネルは、ｕＰＤＳＣＨに対応することができ、アップリンクチャネルは、ｕＰＵＳＣＨに対応することができ、ｕＰＵＳＣＨの開始を示すスタートインジケータからサブフレームの終わりにアロケートされることができ、ここにおいて、スタートインジケータは、リソースアロケーションにおいて、またはリソースアロケーションを特定する対応するリソースグラントにおいて特定され得る。さらに、一例では、リソースは、ｕＰＵＳＣＨアロケーションのためのリソース内の１つまたは複数の期間５１６において復調基準信号（ＤＭ−ＲＳ）を送信するためにアロケートされることができ、それは、本書に説明されるように、複数の非連続的なシンボルにわたって、１つまたは複数のシンボルにおけるＤＭ−ＲＳを送信することを含むことができる。
【００５４】
[0067]  ＤＭ−ＲＳを送信するための期間５１６の位置は、リソースアロケーション（またはリソースグラント）において示され得、他の方法では、本書にさらに説明されるように、別の構成において示される、リソースアロケーションに関わる１つまたは複数のパラメータなどに基づいて決定され得る。例えば、示されているように、所定のサブフレームにおける所定のＵＥに対してＤＭ−ＲＳを送信するための１つ乃至２つの期間５１６が存在し得る。（図示されていないが）別の例では、ＤＭ−ＲＳを送信するための期間５１６、５２６の位置は、第３の期間５１４、５２４の始めにあり得る。このことは、ＤＭ−ＲＳが、第１の期間５２０を送信するリソースグラントが第３の期間５１４、５２４においてアロケートされるリソースから時間的に十分に（例えば、ｎ個のシンボル、ここにおいてｎは、４または実質的に任意の設定された値であることができる、）離間されることを可能にするために、追加の時間をかける可能性があるため、ＧＰに対応する期間５１２、５２２の長さを減じることを可能にすることができる。
【００５５】
[0068]  アロケーションスペース５００では、リソースは、複数の連続したリソースブロック（ＲＢ）グループ５１９がＵＬＬ通信のための１つまたは複数のＵＥにアロケートされることができるように、ＦＤＭでアロケートされる。アロケーションスペース５０２は、（例えばシンボル）のような１つまたは複数の期間に対して周波数の複数のＲＢグループ５１９を含むことができる。一例では、２０ＭＨｚ周波数帯域において、アロケーションスペース５０２は、複数のシンボルに対して４個の５ＭＨｚ部分に分割されることができる、ここにおいて各ＲＢグループ５１９は、１つのシンボルに対して（例えば、２５ＲＢを含み得る）５ＭＨｚに対応する。この例では、第１の複数の期間５２０（例えば、複数のシンボル）は、ダウンリンク通信のためにアロケートされることができ、ＧＰとして１つまたは複数の期間５２２が後続し、アップリンク通信をアロケートするための１つまたは複数の期間５２４が後続する。この例では、期間５２４は、異なるＵＥにアロケートされることができ、かくして、リソースグラントは、リソースアロケーションに関わるエンディングＲＢグループおよびスターティングＲＢグループにそれぞれ対応するエンドインジケータおよびスタートインジケータを示し得る。さらに、期間５２４内の期間５２６は、１つまたは複数のＵＥによってＤＭ−ＲＳを送信するためにアロケートされることができ、（例えば、ＵＥ ＤＭ−ＲＳ送信は、期間５２６における周波数に対して多重化されることができる、）それは、リソースアロケーション（またはリソースグラント）、または本書においてさらに説明されるような他の構成において、特定され得る。
【００５６】
[0069]  図６は、ＵＬＬワイヤレス通信におけるアロケーションスペース６００および６０２にわたるリソースアロケーションの非制限的な例を示す図である。アロケーションスペース６００では、リソースは、ダウンリンク通信のためにアロケートされる期間、ＧＰのための期間、続いてアップリンク通信をアロケートするための期間（および／またはアップリンク通信をアロケートするための期間におけるＤＭ−ＲＳ送信のための期間）を含み、図５においてアロケーションスペース５０２に関して同様に図示され且つ説明したように、ＴＤＭでアロケートされる。さらに、この例では、アップリンク通信をアロケートするための期間の部分（例えば、最後の２個のシンボルのような、シンボルの部分）はまた、期間の部分の周波数の部分６１０においてアップリンク制御チャネルリソースアロケーションを含むことができる。この例では、アップリンク制御チャネルをアロケートするための期間の部分内の周波数の部分６１０は、期間の部分の最初と最後の周波数部分（例えば、シンボルの部分における最初と最後のＲＢグループにおける最初と最後の複数のＲＢ）を含むことができる。一例では、周波数の最初と最後の部分６１０は、サイズ（例えば帯域幅）が類似している場合がある。さらに、例えば、周波数の部分６１０は、期間の部分に対する周波数の残りの部分におけるｕＰＵＳＣＨアロケーションが関連する同じ（または異なる）ＵＥに関わるアップリンク制御チャネルアロケーションに対応する（または別の方法でそれに依存する）ことができる。一例では、１つまたは複数のＵＥは、（例えば周波数の部分６１２における）アップリンク制御チャネルをアロケートするための部分以外の期間の部分においてアップリンクデータと組み合わされた制御データ（例えば、ＡＣＫ／ＮＡＣＫ、ＳＲ、ＣＱＩなど）を含むことができる。例えば、周波数の部分６１２においてアップリンク共有データチャネルリソースをアロケートされたＵＥは、周波数６１０の部分における制御チャネルアロケーションを認識し（be aware of）得、したがって、本書においてさらに説明されるように、ＳＣ−ＦＤＭＡ波形を維持するために、周波数の部分６１２におけるアップリンク共有データチャネルリソースに制御データを統合し得る。
【００５７】
[0070]  アロケーションスペース６０２では、リソースは、ダウンリンク通信のためにアロケートされる期間、ＧＰのための期間、続いてアップリンク通信をアロケートするための期間（および／またはアップリンク通信をアロケートするための期間におけるＤＭ−ＲＳ送信のための期間）を含み、図５においてアロケーションスペース５０２に関して同様に図示され且つ説明したように、ＴＤＭでアロケートされる。さらに、この例では、アップリンク通信をアロケートするための期間の一部分（例えば、最後のシンボルのような、シンボルの一部分）はまた、さまざまなＵＥのための周波数の部分６２０においてアップリンク制御チャネルリソースアロケーションを含むことができ、ここにおいて対応する制御チャネル送信は、（例えば、インターリーブ周波数分割多重接続（ＩＦＤＭＡ）波形を使用して）期間の部分にわたって多重化される。一例では、図示されるように、周波数６２０の部分は、各ＵＥにアロケートされたＲＢ間の均等の間隔（例えばトーン間隔）を使用することができる。一例では、アロケーションスペース６０２は、周波数の部分６２０におけるアップリンク制御チャネルリソースアロケーションを使用し、さらに、共有ＤＭ−ＲＳパイロットのための周波数の部分６２２を使用することができる。
【００５８】
[0071]  図７は、ＵＬＬワイヤレス通信におけるアロケーションスペース７００にわたるリソースアロケーションの非制限的な例を示す図である。アロケーションスペース７００では、リソースは、ダウンリンク通信のためにアロケートされる期間、ＧＰのための期間、続いてアップリンク通信をアロケートするための期間（および／またはアップリンク通信をアロケートするための期間におけるＤＭ−ＲＳ送信のための期間）を含み、図５においてアロケーションスペース５０２に関して同様に図示され且つ同様に説明したように、ＴＤＭでアロケートされる。さらに、この例では、アップリンク通信をアロケートするための期間の部分（例えば、最後の２個のシンボルのような、シンボルの部分）はまた、期間の部分の周波数の部分７１０および７２０において複数のアップリンク制御チャネルリソースアロケーションを含むことができる。この例では、アップリンク制御チャネルをアロケートするための期間の部分内の周波数の部分７１０および７２０は、期間の部分の最初と最後の周波数部分（例えば、シンボルの部分における最初と最後のＲＢグループにおける最初と最後の複数のＲＢ）を含むことができる。一例では、周波数の最初の部分７１０と最後の部分７２０とは、サイズ（例えば帯域幅）が類似している場合がある。いくつかの例では、時間的に周波数の部分７２０の前に生じる周波数の部分７１０は、本書では「早期帯域幅」と呼ばれることができ、特定の時間感度制御データ、例えばＨＡＲＱフィードバック、をスケジューリングするために使用され得、一方で、周波数の他の部分７２０は、時間感度の低い制御データ、例えば、スケジューリング要求（ＳＲ）、チャネル品質インジケータ（ＣＱＩ）など、のために使用されることができる。一例では、１つまたは複数のＵＥは、（例えば部分７２２において）アップリンク制御チャネルをアロケートするための部分以外の期間の部分においてアップリンクデータと組み合わされる制御データ（例えば、ＡＣＫ／ＮＡＣＫ、ＳＲ ＣＱＩなど）を含むことができる。
【００５９】
[0072]  図８乃至１４を参照すると、本書に説明される動作または機能を実施し得る１つまたは複数のコンポーネントおよび１つまたは複数の方法に関わる態様が、示されている。一態様では、本書で使用される「コンポーネント」という用語は、システムを構成する部分のうちの１つであり得、ハードウェアまたはソフトウェア、あるいはこれらのいくつかの組み合わせであり得、他のコンポーネントに分割され得る。図９乃至１４における下記の動作が特定の順序で、および／またはコンポーネントの例によって実施されているとして示されるが、アクションおよびアクションを実施するコンポーネントの順序付けはインプリメンテーションに応じて変化され得ることが理解されるべきである。さらに、以下のアクションまたは機能は、特別にプログラムされたプロセッサ、特別にプログラムされたソフトウェアまたはコンピュータ可読媒体を実行するプロセッサによって、または説明されるアクションまたは機能を実施することができるハードウェアコンポーネントおよび／またはソフトウェアコンポーネントの任意の他の組み合わせによって実施され得ることが理解されるべきである。
【００６０】
[0073]  図８は、ＵＬＬ通信においてチャネルを提供するための例としてのシステム８００を示す。システム８００は、ワイヤレスネットワークにアクセスするためにｅＮＢ８０４と通信するＵＥ８０２を含み、それの例（例えば、アクセスポイント１０５、ｅＮＢ２０４、スモールセルｅＮＢ２０８、ｅＮＢ３１０、ＵＥ１１５、２０６、３５０など）は、図１乃至３において上に説明されている。一態様では、ｅＮＢ８０４およびＵＥ８０２は、１つまたは複数のダウンリンクチャネルを確立し得、それにわたってダウンリンク信号８０９を介して通信し、それは、設定された通信リソースにわたってｅＮＢ８０４からＵＥ８０２に（例えばシグナリングで）制御および／またはデータメッセージを通信するために、（例えば、トランシーバ８５６を介して）ｅＮＢ８０４によって送信され、（例えば、トランシーバ８０６を介して）ＵＥ８０２によって受信されることができる。さらに、例えば、ｅＮＢ８０４およびＵＥ８０２は、１つまたは複数のアップリンクチャネルを確立し、それにわたってアップリンク信号８０８を介して通信し、それは、設定された通信リソースにわたってＵＥ８０２からｅＮＢ８０４に（例えばシグナリングで）制御および／またはデータメッセージを通信するために、（例えば、トランシーバ８０６を介して）ＵＥ８０２によって送信され、（例えば、トランシーバ８５６を介して）ｅＮＢ８０４によって受信されることができる。本書にさらに説明されるように、例えば、ｅＮＢ８０４は、ＵＥ８０２がそれを通じてｅＮＢ８０４とデータを通信（例えば、送信または受信）するリソースを示すことができるリソースグラント８８０を通信し得、ここにおいてリソースは、説明されるように、レガシおよび／またはＵＬＬ通信技術に対応することができる。例えば、ＵＬＬ通信技術に関連するリソースは、ＵＬＬタイムライン（例えば、図４のタイムライン４００、４０２のような、持続時間におけるサブフレーム未満のＴＴＩを有するタイムライン）に関連することができ、および／または、（図５乃至７におけるアロケーションスペース５００、５０２、６００、６０２、７００などの例に関連して説明されるように）アロケーションスペースにおけるグラントに対応し得る。
【００６１】
[0074]  一態様では、ＵＥ８０２は、例えば、１つまたは複数のバス８０７を介して、通信可能に結合され得るメモリ８０５および／または１つまたは複数のプロセッサ８０３を含み得、１つまたは複数のリソースグラントに基づいてＵＬＬ通信技術を使用して通信するための通信コンポーネント３６１と関連して動作するか、別の方法でそれをインプリメントし得る。例えば、通信コンポーネント３６１に関連するさまざまな動作は、１つまたは複数のプロセッサ８０３によってインプリメントされるか、別の方法で実行され得、一態様では、シングルプロセッサによって実行されることができ、一方で他の態様では、複数の動作のうちの異なる動作が、２つ以上の異なるプロセッサの組み合わせによって実行され得る。例えば、一態様では、１つまたは複数のプロセッサ８０３は、モデムプロセッサ、またはベースバンドプロセッサ、またはデジタル信号プロセッサ、または特定用途向け集積回路（ＡＳＩＣ）、送信プロセッサ、受信プロセッサ、またはトランシーバ８０６に関連付けられたトランシーバプロセッサのうちのいずれか１つまたは任意の組み合わせを含み得る。さらに、例えば、メモリ８０５は、非一時的コンピュータ可読媒体であり得、それは、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、磁気記憶デバイス（例えば、ハードディスク、フロッピーディスク、磁気ストリップ）、光ディスク（例えば、コンパクトディスク（ＣＤ）、デジタル多用途ディスク（ＤＶＤ））、スマートカード、フラッシュメモリデバイス（例えば、カード、スティック、キードライブ）、レジスタ、リムーバブルディスク、およびソフトウェアおよび／またはコンピュータあるいは１つまたは複数のプロセッサ８０３によってアクセスおよび読取りされ得る命令またはコンピュータ可読コードを記憶するための任意の他の適切な媒体を含むが、それらに限定されない。さらに、メモリ８０５またはコンピュータ可読記憶媒体は、１つまたは複数のプロセッサ８０３内にあり得るか、１つまたは複数のプロセッサ８０３の外にあるか、１つまたは複数のプロセッサ８０３を含む複数のエンティティにわたって分配されるか、その他であり得る。
【００６２】
[0075]  特に、１つまたは複数のプロセッサ８０３および／またはメモリ８０５は、通信コンポーネント３６１またはそれのサブコンポーネントによって規定される動作またはアクションを実行し得る。例えば、１つまたは複数のプロセッサ８０３および／またはメモリ８０５は、ＵＬＬワイヤレス通信における１つまたは複数のチャネルを通じて通信するためのリソースを決定するために、チャネルリソース決定コンポーネント８１０によって規定される動作またはアクションを実行し得る。一態様では、例えば、チャネルリソース決定コンポーネント８１０は、本書に説明される特別に設定されたチャネルリソース決定動作を実施するために、１つまたは複数のプロセッサ８０３のうちの少なくとも１つによって実行可能であり且つメモリ８０５に記憶されるコンピュータ可読コードまたは命令群、および／またはハードウェア（例えば、１つまたは複数のプロセッサ８０３の１つまたは複数のプロセッサモジュール）を含み得る。さらに、例えば、１つまたは複数のプロセッサ８０３および／またはメモリ８０５は、それを通じてＤＭ−ＲＳを通信するためのリソースを決定するための選択的ＤＭ−ＲＳリソース決定コンポーネント８１２によって規定される動作またはアクションを実行し得る。一態様では、例えば、ＤＭ−ＲＳリソース決定コンポーネント８１２は、本書に説明される特別に設定されたＤＭ−ＲＳリソース決定動作を実施するために、１つまたは複数のプロセッサ８０３のうちの少なくとも１つによって実行可能であり且つメモリ８０５に記憶されるコンピュータ可読コードまたは命令群、および／またはハードウェア（例えば、１つまたは複数のプロセッサ８０３の１つまたは複数のプロセッサモジュール）を含み得る。さらに、例えば、１つまたは複数のプロセッサ８０３および／またはメモリ８０５は、被受信チャネル状態情報（ＣＳＩ）基準信号（ＣＳＩ−ＲＳ）に基づいてＣＳＩフィードバックを生成および／または通信するための選択的ＣＳＩフィードバックコンポーネント８１４によって規定される動作またはアクションを選択的に実行し得る。一態様では、例えば、ＣＳＩフィードバックコンポーネント８１４は、本書に説明される特別に設定されたＣＳＩフィードバック動作を実施するために、１つまたは複数のプロセッサ８０３のうちの少なくとも１つによって実行可能であり且つメモリ８０５に記憶されるコンピュータ可読コードまたは命令群、および／またはハードウェア（例えば、１つまたは複数のプロセッサ８０３の１つまたは複数のプロセッサモジュール）を含み得る。
【００６３】
[0076]  同様に、一態様では、ｅＮＢ８０４は、例えば、１つまたは複数のバス８５７を介して、通信可能に結合され得るメモリ８５５および／または１つまたは複数のプロセッサ８５３を含み得、ＵＬＬワイヤレス通信のための１つまたは複数のＵＥに関わるリソースグラントを生成するためのスケジューリングコンポーネント３０２と関連して動作するか、別の方法でそれをインプリメントし得る。例えば、スケジューリングコンポーネント３０２に関連するさまざまな機能は、１つまたは複数のプロセッサ８５３によってインプリメントされるか、別の方法で実行され得、一態様では、シングルプロセッサによって実行されることができ、一方で他の態様では、上述されたように、複数の機能のうちの異なる機能が、２つ以上の異なるプロセッサの組み合わせによって実行され得る。一例では、１つまたは複数のプロセッサ８５３および／またはメモリ８５５は、ＵＥ８０２の１つまたは複数のプロセッサ８０３および／またはメモリ８０５に関して上の例で説明されるように、構成され得る。
【００６４】
[0077]  一例では、１つまたは複数のプロセッサ８５３および／またはメモリ８５５は、スケジューリングコンポーネント３０２またはそれのサブコンポーネントによって規定される動作またはアクションを実行し得る。例えば、１つまたは複数のプロセッサ８５３および／またはメモリ８５５は、ＵＬＬ通信においてアサインされたリソースに関する１つまたは複数のパラメータを特定するリソースグラントを生成するためのリソースグラント生成コンポーネント８２０によって規定される動作またはアクションを実行し得る。一態様では、例えば、リソースグラント生成コンポーネント８２０は、本書に説明される特別に設定されたリソースグランティング動作を実施するために、１つまたは複数のプロセッサ８５３のうちの少なくとも１つによって実行可能であり且つメモリ８５５に記憶されるコンピュータ可読コードまたは命令群、および／またはハードウェア（例えば、１つまたは複数のプロセッサ８５３の１つまたは複数のプロセッサモジュール）を含み得る。さらに、例えば、１つまたは複数のプロセッサ８５３および／またはメモリ８５５は、ＵＬＬ通信におけるリソースがアサインされる１つまたは複数のＵＥからＤＭ−ＲＳを受信するための選択的ＤＭ−ＲＳ受信コンポーネント８２２によって規定される動作またはアクションを実行し得る。一態様では、例えば、ＤＭ−ＲＳ受信コンポーネント８２２は、本書に説明される特別に設定されたＤＭ−ＲＳ受信動作を実施するために、１つまたは複数のプロセッサ８５３のうちの少なくとも１つによって実行可能であり且つメモリ８５５に記憶されるコンピュータ可読コードまたは命令群、および／またはハードウェア（例えば、１つまたは複数のプロセッサ８５３の１つまたは複数のプロセッサモジュール）を含み得る。さらに、例えば、１つまたは複数のプロセッサ８５３および／またはメモリ８５５は、１つまたは複数のＵＥにＣＳＩ−ＲＳを送信するための選択的ＣＳＩ−ＲＳ送信コンポーネント８２４によって規定される動作またはアクションを実行し得る。一態様では、例えば、ＣＳＩ−ＲＳ送信コンポーネント８２４は、本書に説明される特別に設定されたＣＳＩ−ＲＳ送信動作を実施するために、１つまたは複数のプロセッサ８５３のうちの少なくとも１つによって実行可能であり且つメモリ８５５に記憶されるコンピュータ可読コードまたは命令群、および／またはハードウェア（例えば、１つまたは複数のプロセッサ８５３の１つまたは複数のプロセッサモジュール）を含み得る。
【００６５】
[0078]  一例では、トランシーバ８０６、８５６は、１つまたは複数のアンテナ、ＲＦフロントエンド、１つまたは複数の送信機、および１つまたは複数の受信機を通じてワイヤレス信号を送信および受信するように構成され得る。一態様では、トランシーバ８０６、８５６は、ＵＥ８０２および／またはｅＮＢ８０４が特定の周波数で通信することができるように指定の周波数で動作するように調整され得る。一態様では、構成、通信プロトコル、などに基づいて指定の周波数および電力レベルで動作して、関連するアップリンクまたはダウンリンク通信チャネルにわたって、それぞれ、アップリンク信号８０８および／またはダウンリンク信号８０９を通信するように、１つまたは複数のプロセッサ８０３は、トランシーバ８０６を構成し得、および／または、１つまたは複数のプロセッサ８５３は、トランシーバ８５６を構成し得る。
【００６６】
[0079]  一態様では、トランシーバ８０６、８５６は、トランシーバ８０６、８５６を使用して送信および受信されるデジタルデータを処理するように、複数の帯域で（例えば、図示されていないが、マルチバンドマルチモードモデムを使用して）動作することができる。一態様では、トランシーバ８０６、８５６は、マルチバンドであり、特定の通信プロトコルのための複数の周波数帯域をサポートするように構成されることができる。一態様では、トランシーバ８０６、８５６は、複数の動作ネットワークおよび通信プロトコルをサポートするように構成されることができる。かくして、例えば、トランシーバ８０６、８５６は、特定のモデム構成に基づいて信号の受信および／または送信を有効にし得る。
【００６７】
[0080]  図９は、ｅＮＢによってアサインされるＵＬＬ通信リソースにわたって（例えば、ＵＥによって）通信するための方法９００の例を示す。ｅＮＢによってアサインされるリソースにわたってｅＮＢと通信するＵＥに関して概して説明されるが、本書に説明される機能は、あるデバイスが他のデバイスによる通信のためのリソースをスケジューリングするワイヤレス通信において、実質的にいかなるデバイスによっても使用されることができる。方法９００において、破線のボックスとして示されているブロックは、選択的なステップを表す。
【００６８】
[0081]  ブロック９０２において、ＵＥは、サービングｅＮＢから制御チャネルを受信することができ、ここにおいて、制御チャネルは、アップリンク共有データチャネルのためのスタートインジケータおよび帯域幅を示すリソースグラントを含む。一態様では、通信コンポーネント３６１は、例えば、（１つまたは複数の）プロセッサ８０３、メモリ８０５、および／またはトランシーバ８０６と関連して、サービングｅＮＢ（例えばｅＮＢ８０４）から制御チャネル（例えば、ｕＰＤＣＣＨ）を受信することができ、ここにおいて制御チャネルは、アップリンク共有データチャネルのためのスタートインジケータおよび帯域幅を示すリソースグラント（例えば、リソースグラント８８０）を含む。例えば、ｅＮＢ８０４が、説明されるように、（例えば、図５におけるアロケーションスペース５００において示されている例にしたがって）ＦＤＭでリソースをアロケートする場合、ｅＮＢ８０４は、アップリンク共有データチャネルが開始する期間（例えば、シンボル、ここにおいてインジケータは、サブフレームを有するシンボルのインデックスを含み得る）を示すスタートインジケータおよびアップリンク共有データチャネルに対応する帯域幅を示すことができる。例えば、示される帯域幅は、周波数リソース（例えば、周波数帯域、複数のリソースブロックなど）のインジケーションを含み得、それを通じてリソースは、その期間の間にスケジューリングされる。一例では、アップリンク共有データチャネルは、それに応じて、スタートインジケータによって示される期間において始まり、周知の、または設定されたエンディング期間（例えば、サブフレームの終わり、スターティングシンボルからの複数のシンボルなど）まで拡張する帯域幅にわたって、スケジューリングされる。さらに、図５を参照すると、通信コンポーネント３６１は、サブフレームにおける第１の期間５１０においてｕＰＤＣＣＨを通じてリソースグラントを受信し得、ここにおいて、リソースグラントは、（例えば、期間５１２が中間のＧＰに対応するように、）サブフレームにおける第３の期間５１４内のスタートインジケータおよび帯域幅を示す。
【００６９】
[0082]  ブロック９０４において、ＵＥは、スタートインジケータから対応するエンディング期間までの持続時間の間に、帯域幅にわたってアップリンク共有データチャネルにおいてデータを送信することができる。一態様では、通信コンポーネント３６１は、例えば、（１つまたは複数の）プロセッサ８０３、メモリ８０５、および／またはトランシーバ８０６に関連して、スタートインジケータから対応するエンディング期間（例えば、説明されるように、サブフレームの終わり、スターティングシンボルからの複数のシンボル、または他の設定されたまたは周知のエンディング期間）までの持続時間の間に、帯域幅にわたってアップリンク共有データチャネルにおいてデータを送信することができる。一例では、チャネルリソース決定コンポーネント８１０は、ｅＮＢ８０４から受信されるリソースグラントからスターティングインジケータおよび帯域幅を決定することができ、通信コンポーネント３６１は、それに応じて、スターティングインジケータから周知のエンディング期間（例えば、サブフレームのおわり）までの期間および帯域幅に対応するリソース（例えば、１つまたは複数のリソースブロック）にわたってデータ送信をスケジューリングすることができる。かくして、例えば、アップリンク共有データチャネル（例えば、ｕＰＵＳＣＨ）は、設定可能な帯域幅および持続時間を有することができ、ここにおいてリソース内のチャネルの配置は、スタートインジケータとアラインされる。
【００７０】
[0083]  選択的に、ブロック９０６において、ＵＥは、アップリンク共有データチャネルにおいて１つまたは複数のＤＭ−ＲＳを送信するための１つまたは複数のシンボルを決定することができる。一態様では、ＤＭ−ＲＳリソース決定コンポーネント８１２は、例えば、（１つまたは複数の）プロセッサ８０３、および／またはメモリ８０５と関連して、アップリンク共有データチャネルにおいて１つまたは複数のＤＭ−ＲＳを送信するための１つまたは複数のシンボルを決定することができる。例えば、ｅＮＢ８０４は、リソースグラント（例えば、リソースグラント８８０）における１つまたは複数のリソースを示し得、ＤＭ−ＲＳリソース決定コンポーネント８１２は、リソースグラントにおけるインジケーションに基づいて１つまたは複数のシンボルを決定し得る。別の例では、ブロック９０６において１つまたは複数のシンボルを決定するときに、ＵＥは、選択的に、ブロック９０８において、１つまたは複数のパラメータに少なくとも部分的に基づいてアップリンク共有データチャネルにおいて１つまたは複数のＤＭ−ＲＳを送信するための１つまたは複数のシンボルを決定し得る。一態様では、ＤＭ−ＲＳリソース決定コンポーネント８１２は、１つまたは複数のパラメータに少なくとも部分的に基づいてアップリンク共有データチャネルにおいて１つまたは複数のＤＭ−ＲＳを送信するための１つまたは複数のシンボルを暗黙的に決定することができ、それは、持続時間（例えば、スタートインジケータからサブフレームの終わりに対応する持続時間）、変調オーダ（modulation order）、コードレート、および被受信制御チャネルの波形構成に対応する他の態様を含み得る。さらに、例えば、ＤＭ−ＲＳリソース決定コンポーネント８１２は、シンボルの数を決定することができ、それを通じて、グラントの持続時間、変調オーダ、コードレートなどに基づいて、ＤＭ−ＲＳ（例えば、１シンボル、２シンボルなど）を送信する。例えば、ＤＭ−ＲＳリソース決定コンポーネント８１２は、追加のＤＭ−ＲＳシンボルを決定することができ、ここにおいて、アップリンクグラントの持続時間はしきい値の持続時間に到達し、ここにおいて、アップリンク共有データチャネルにわたって送信されるデータは、しきい値の変調オーダ、および／またはコードレートなどに到達する。かくして、ＤＭ−ＲＳを送信するための１つまたは複数のシンボルは、リソースグラントにおけるｅＮＢ８０４によって積極的に搬送される必要は無い。
【００７１】
[0084]  別の例では、ブロック９１０において、ＵＥは、１つまたは複数のシンボルにおいて１つまたは複数のＤＭ−ＲＳを選択的に送信し得る。一態様では、通信コンポーネント３６１は、例えば、（１つまたは複数の）プロセッサ８０３、メモリ８０５、および／またはトランシーバ８０６に関連して、ｅＮＢ８０４に、（例えば、関連するサブフレームのシンボル内で）アップリンク共有データチャネルにおいてＵＥによって送信されるデータを復調することを可能にするために、１つまたは複数のシンボルにおいてＤＭ−ＲＳを送信することができる。
【００７２】
[0085]  図１０は、ＵＬＬ通信ためのリソースを（例えば、ｅＮＢによって）スケジューリングするための方法１０００の例を示す。ＵＥのためのリソースをスケジューリングするｅＮＢに関して概して説明されるが、本書に説明される機能は、あるデバイスが他のデバイスによる通信のためのリソースをスケジューリングするワイヤレス通信において、実質的にいかなるデバイスによっても使用されることができる。方法１０００において、破線のボックスとして示されているブロックは、選択的なステップを表す。
【００７３】
[0086]  ブロック１００２において、ｅＮＢは、アップリンク共有データチャネルのためのスタートインジケータおよび帯域幅を示すリソースグラントを生成することができる。一態様では、リソースグラント生成コンポーネント８２０は、例えば、（１つまたは複数の）プロセッサ８５３、および／またはメモリ８５５と関連して、アップリンク共有データチャネルのためのスタートインジケータおよび帯域幅を示すリソースグラントを生成することができる。例えば、リソースグラント生成コンポーネント８２０が、説明されるように、（例えば、図５におけるアロケーションスペース５００に示される例にしたがって）ＦＤＭでリソースをアロケートする場合、リソースグラント生成コンポーネント８２０は、アップリンク共有データチャネルが開始する期間（例えばシンボル）を示すスタートインジケータおよびアップリンク共有データチャネルに対応する帯域幅（例えば、周波数帯域、複数のリソースブロック、または、帯域幅の他のインジケーション）を示すことができる。一例では、アップリンク共有データチャネルは、説明されるように、スタートインジケータによって示される期間において始まり、周知の、または設定されたエンディング期間（例えば、サブフレームの終わり、スターティングシンボルからの複数のシンボルなど）まで拡大する帯域幅にわたって、適切に、スケジューリングされる。一例では、ｅＮＢ８０４は、１つまたは複数のＵＥ（例えば、ＵＥ８０２）へのエンディング期間を設定することができる。例えば、リソースグラント生成コンポーネント８２０は、示されるバッファ状態報告（ＢＳＲ）、報告チャネル品質（reported channel quality）、および／または同様のものを含み得る、ＵＥの１つまたは複数のパラメータに基づいて、（例えば、帯域幅として周波数ドメインにおいて、シンボルの数として時間ドメインにおいて、）所定のＵＥのためのアップリンク共有データチャネルのためのサイズを決定し得る。
【００７４】
[0087]  ブロック１００４において、ｅＮＢは、ダウンリンク制御チャネルにおいてＵＥにリソースグラントを送信することができる。一態様では、通信コンポーネント３６１は、例えば、(１つまたは複数の)プロセッサ８５３、メモリ８５５、および／またはトランシーバ８５６に関連して、ダウンリンク制御チャネル（例えば、ｕＰＤＣＣＨ）においてＵＥ（例えば、ＵＥ８０２）にリソースグラント（例えば、リソースグラント８８０）を送信することができる。したがって、一例では、スケジューリングコンポーネント３０２はまた、周知のエンディング期間（例えば、サブフレームの終わり）におけるエンディングおよびスタートインジケータに対応する持続時間に対する帯域幅に対応するグラントリソースにわたってＵＥ８０２からの通信を受信し得る。かくして、例えば、アップリンク共有データチャネル（例えば、ｕＰＵＳＣＨ）は、設定可能な帯域幅および持続時間を有することができ、ここにおいてリソース内のチャネルの配置は、スタートインジケータとアラインされる。さらに、図５を参照すると、スケジューリングコンポーネント３０２は、サブフレームにおける第１の期間５１０においてｕＰＤＣＣＨにわたってリソースグラントを送信し得、それは、（例えば、中間のＧＰに対応する期間５１２とともに、）サブフレームにおける第３の期間５１４内のスタートインジケータおよび帯域幅を示す。
【００７５】
[0088]  選択的に、ブロック１００６において、ｅＮＢは、アップリンク共有データチャネルにおいてＵＥからのＤＭ−ＲＳを受信し得る。一態様では、ＤＭ−ＲＳ受信コンポーネント８２２は、例えば、（１つまたは複数の）プロセッサ８５３、メモリ８５５、および／またはトランシーバ８５６と関連して、アップリンク共有データチャネルにおいてＵＥ（例えば、ＵＥ８０２）からＤＭ−ＲＳを受信することができる。一例において説明されるように、リソースグラント生成コンポーネント８２０は、アップリンク共有データチャネルのためにアロケートされたリソース内の１つまたは複数のシンボルをさらに示すためにリソースグラント８８０を生成し得、ここにおいて、１つまたは複数のシンボルは、ＤＭ−ＲＳ送信のために使用される。別の例では、ＵＥ８０２は、説明されるように、１つまたは複数のシンボルを自立的に決定することができる。さらに、例えば、ｅＮＢ８０４は、共有アップリンクデータチャネルにわたってＵＥ８０２から受信されたデータを復調するために、被受信ＤＭ−ＲＳを使用することができる。
【００７６】
[0089]  図１１は、ｅＮＢによってアサインされるＵＬＬ通信リソースにわたって（例えば、ＵＥによって）通信するための方法１１００の例を示す。ｅＮＢによってアサインされるリソースを通じてｅＮＢと通信するＵＥに関して概して説明されるが、本書に説明される機能は、あるデバイスが他のデバイスによって通信するためのリソースをスケジューリングするワイヤレス通信において、実質的にいかなるデバイスによっても使用されることができる。方法１１００において、破線のボックスとして示されているブロックは、選択的なステップを表す。
【００７７】
[0090]  ブロック１１０２において、ＵＥは、サービングｅＮＢから制御チャネルを受信することができ、ここにおいて、制御チャネルは、アロケーションスペースにおけるスターティングＲＢから開始する複数のＲＢを含むアップリンク共有データチャネルのためのリソースグラントを含む。一態様では、通信コンポーネント３６１は、例えば、（１つまたは複数の）プロセッサ８０３、メモリ８０５、および／またはトランシーバ８０６と関連して、サービングｅＮＢ（例えばｅＮＢ８０４）から制御チャネル（例えば、ｕＰＤＣＣＨ）を受信することができ、ここにおいて制御チャネルは、アロケーションスペースにおけるスターティングＲＢから開始する複数のＲＢを含むアップリンク共有データチャネルのためのリソースグラント（例えば、リソースグラント８８０）を含む。例えば、リソースグラント８８０は、アロケーションスペースにおけるスターティングＲＢから開始する複数のＲＢのインジケータを含むことができる。例えば、ｅＮＢ８０４が、説明されるように、（例えば、図５におけるアロケーションスペース５０２において示される例にしたがって）ＴＤＭでリソースをアロケートする場合、ｅＮＢ８０４は、リソースグラント８８０において、アロケーションスペースにおけるスターティングＲＢから開始する複数のＲＢを示すことができ、ここにおいてＲＢは、(例えば、図５においてＲＢグループ５１９として示されているようなＲＢの５ＭＨｚの部分などの)ＲＢのグループ、個々のＲＢに対応することができる。かくして、例えば、スターティングＲＢから開始して、リソースが、対応する期間（例えばシンボル）における次のＲＢにおいてアロケートされ、ここにおいてスターティングＲＢは期間における最後のＲＢではない、次に、次の期間（例えば次のシンボル）における第１のＲＢにおいて開始して、この次の期間における次のＲＢまで続くなどして、複数のＲＢに達するまで、ＲＢは、第１に周波数において、第２に時間において、アロケートされることができる。
【００７８】
[0091]  特定の例では、ＲＢ（またはＲＢのグループ）は、第１の期間（例えば、シンボル、ここにおいて、シンボルは、ＵＬＬ通信技術のＴＴＩであることができる）における周波数帯域の開始において、第１のＲＢ（またはＲＢグループ）で順次的に開始して、第１の期間における周波数帯域における次のＲＢ（またはＲＢグループ）などへと続き、第１の期間における周波数帯域における最後のＲＢ（またはＲＢグループ）まで、インデックスをアサインされることができる。そして、次の連続したインデックスは、第２の期間における周波数帯域の開始において第１のＲＢ（またはＲＢグループ）にアサインされることができ、第２の期間における周波数帯域における次のＲＢ（またはＲＢグルーブ）などへと、最後の期間における周波数帯域における最後の（またはエンディング）ＲＢ（またはＲＢグループ）まで、続く。かくして、ｅＮＢ８０４は、リソースグラント８８０においてＵＥ８０２に複数のＲＢ（または複数のＲＢグループ）およびＲＢ（またはＲＢグループ）のスタートインジケータを通信し得、通信コンポーネント３６１は、リソースグラント８８０を受信することができ、チャネルリソース決定コンポーネント８１０は、リソースグラント８８０において示されるＲＢの数およびＲＢ（またはＲＢグループ）インデックスのスタートインジケータに基づいてアップリンク共有データチャネルに対応するリソースを決定することができる。一例では、通信コンポーネント３６１は、代替として、エンディングＲＢのインジケーションを受信し、それに応じてスターティングＲＢからエンディングＲＢへのリソースを決定することができる。
【００７９】
[0092]  図５を参照すると、例えば、通信コンポーネント３６１は、サブフレームにおける第１の期間５２０における１つまたは複数のＲＢ（またはＲＢグループ）５１９において（例えば、最初の３個のシンボルのうちの１つまたは複数において）ｕＰＤＣＣＨを通じてリソースグラントを受信し得、ここにおいて、リソースグラントは、中間のＧＰのＲＢ（またはＲＢグループ）に対応する期間５２２とともに、サブフレームにおいて（例えば、ユーザ１のための第７のシンボルの第５、第６、および最初の２個のＲＢグループにおいて）第３の期間５２４内に生じるアップリンク共有データチャネルのための複数のＲＢ（またはエンディングＲＢ）とスターティングＲＢとを示す。特定の例では、図５におけるユーザ１のためのリソースグラントは、０（または、サブフレームの始まりからインデックスされる場合は１６）のスターティングＲＢと、１０の複数のＲＢを示し得る。加えて、以下にさらに説明されるように、ｅＮＢ８０４は、ｅＮＢ８０４に対するＵＥの推定された近接性に基づいて、ＵＥにリソースをアロケートし得る。
【００８０】
[0093]  ブロック１１０４において、ＵＥは、アロケーションスペースにおけるスターティングＲＢから複数のＲＢを通して続くアップリンク共有データチャネルにおいてデータを送信することができる。一態様では、通信コンポーネント３６１は、例えば、（１つまたは複数の）プロセッサ８０３、メモリ８０５、および／またはトランシーバ８０６に関連して、アロケーションスペースにおけるスターティングＲＢから複数のＲＢを通して続くアップリンク共有データチャネルにおいてデータを送信することができる。一例では、説明されるように、チャネルリソース決定コンポーネント８１０は、（エンディングＲＢをさらに含み得る）ｅＮＢ８０４から受信されるリソースグラント８８０から複数のＲＢ（またはＲＢグループ）およびスターティングＲＢ（またはＲＢグループ）を決定することができ、通信コンポーネント３６１は、それに応じて、複数のＲＢ（またはエンディングＲＢ）を通じてスターティングＲＢを含むようにリソース（例えば、１つまたは複数のＲＢまたはＲＢグループ）にわたってデータ送信をスケジューリングすることができる。かくして、特定の例では、アップリンク共有データチャネル（例えば、ｕＰＵＳＣＨ）は、（例えば、５ＭＨｚ ＲＢグループ５１９に対応する）１つまたは複数の２５ＲＢユニットにわたって設定可能であることができる。
【００８１】
[0094]  一例では、ブロック１１０６において、ＵＥは、アップリンク共有データチャネルの少なくとも一部分において制御データを選択的に送信することができる。一態様では、通信コンポーネント３６１は、例えば、（１つまたは複数の）プロセッサ８０３、メモリ８０５および／またはトランシーバ８０６と関連して、アップリンク共有データチャネルの少なくとも一部分において制御データを送信し得る。例えば、通信コンポーネント３６１は、リソースグラント８８０に少なくとも部分的に基づいてアップリンク共有データチャネルにおいて制御データを送信することを決定し得、それは、説明されるように、ｕＰＤＣＣＨを通じて受信され得る。例えば、ｅＮＢ８０４は、リソースグラント８８０内のアップリンク共有データチャネル（例えば、ｕＰＵＳＣＨ）においてＣＱＩ送信をトリガし得、通信コンポーネント３６１は、それに応じてリソースグラント８８０を受信し、そのトリガに基づいてアップリンク共有データチャネルにおいてＣＱＩを送信することができる。追加の情報が、一例では、ｕＰＵＳＣＨおよびｕＰＵＣＣＨの同時の送信を防ぐために、アップリンク共有データチャネル送信に含まれることができる。かくして、例えば図６に示されているように、いくつかのＵＥは（複数のシンボルに及び得る）周波数６１０の部分において制御データを送信し得るが、他のＵＥ（および／または同じＵＥ）は、共有データチャネル通信のためにアロケートされる周波数６１２の部分において制御データを送信し得る。
【００８２】
[0095]  選択的に、ブロック１１０８において、ＵＥは、アロケーションスペース内で１つまたは複数のＤＭ−ＲＳを送信するためのシンボルを決定することができる。一態様では、ＤＭ−ＲＳリソース決定コンポーネント８１２は、例えば、（１つまたは複数の）プロセッサ８０３、および／またはメモリ８０５と関連して、アロケーションスペースにおいて１つまたは複数のＤＭ−ＲＳを送信するためのシンボルを決定することができる。例えば、ｅＮＢ８０４は、リソースグラント（例えば、リソースグラント８８０）またはＤＭ−ＲＳを送信するための別個の通信において、シンボルおよび／または周波数の対応する部分（例えば、ＲＢまたはＲＢグループ、ＲＢグループにおける１つまたは複数のＲＢなど）を示し得る。ＤＭ−ＲＳリソース決定コンポーネント８１２は、リソースグラントにおけるインジケーションに基づいてＤＭ−ＲＳを送信するための周波数の部分および／またはシンボルを決定し得る。例えば、図５を参照すると、ｅＮＢ８０４は、ＤＭ−ＲＳ送信のための期間５２６を示し得、および／または、所定のＵＥ８０２に固有の、または概してＤＭ−ＲＳ送信のための期間５２６内の周波数の部分を示し得る。いずれの場合も、ＵＥ８０２は、インジケーションを受信する（例えば、復調の間にＤＭ−ＲＳの使用を決定する）ことができ、それに応じて、期間５２６において（および／または周波数の対応する部分にわたって）ＤＭ−ＲＳ送信をスケジューリングすることできる。
【００８３】
[0096]  別の例では、ブロック１１１０において、ＵＥは、１つまたは複数のシンボルにおいて１つまたは複数のＤＭ−ＲＳを選択的に送信し得る。一態様では、通信コンポーネント３６１は、例えば、（１つまたは複数の）プロセッサ８０３、メモリ８０５、および／またはトランシーバ８０６に関連して、（例えば、対応するサブフレームにおいて）アップリンク共有データチャネルにおいてＵＥによって送信されるデータを復調することをｅＮＢ８０４に可能にするために、１つまたは複数のシンボルにおいて（および／または周波数の対応する部分にわたって）ＤＭ−ＲＳを送信することができる。
【００８４】
[0097]  図１２は、ＵＬＬ通信ためのリソースを（例えば、ｅＮＢによって）スケジューリングするための方法１２００の例を示す。ＵＥのためのリソースをスケジューリングするｅＮＢに関して概して説明されるが、本書に説明される機能は、あるデバイスが他のデバイスによって通信するためのリソースをスケジューリングするワイヤレス通信において、実質的にいかなるデバイスによっても使用されることができる。方法１２００において、破線のボックスとして示されているブロックは、選択的なステップを表す。
【００８５】
[0098]  ブロック１２０２において、ｅＮＢは、アロケーションスペースにおけるスターティングＲＢから開始する複数のＲＢを含むアップリンク共有データチャネルのためのリソースグラントを生成することができる。一態様では、リソースグラント生成コンポーネント８２０は、例えば、（１つまたは複数の）プロセッサ８５３および／またはメモリ８５５に関連して、アロケーションスペースにおけるスターティングＲＢから開始する複数のＲＢを含むアップリンク共有データチャネルのためのリソースグラント（例えば、リソースグラント８８０）を生成することができる。例えば、説明されるように、リソースグラント生成コンポーネント８２０が（例えば、図５のアロケーションスペースに示されている例にしたがって）ＴＤＭにリソースをアロケートする場合、リソースグラント生成コンポーネント８２０は、第３の期間５２４に対応する所定のアップリンク共有データチャネル（またはエンディングＲＢまたはＲＢグループ）のための複数のＲＢおよびスターティングＲＢ（またはＲＢグループ）のインジケーションを、リソースグラント８８０において、含むことができる。一例では、アップリンク共有データチャネルは、それに応じて、（例えば、それのインデックスに基づいて）スターティングＲＢ（またはＲＢグループ）によって示されるＲＢにわたってスケジューリングされ、示された複数のＲＢ（または複数のＲＢグループ）のために、および／または示されたエンディングＲＢ（またはＲＢグループ）まで、続く。例えば、リソースグラント生成コンポーネント８２０は、ＵＥの１つまたは複数のパラメータに基づいて、所定のＵＥのためのアップリンク共有データチャネルのためのサイズ（例えば、複数のＲＢまたはＲＢグループ）を決定し得、それは、示されるバッファ状態報告（ＢＳＲ）、報告チャネル品質、および／または同様のものを含み得る。例えば、ｅＮＢ８０４は、別のＵＥのＢＳＲより大きいＢＳＲを有するＵＥに対して、より大きなサイズのアロケーションを決定し得る。
【００８６】
[0099]  ブロック１２０４において、ｅＮＢは、ダウンリンク制御チャネルにおいてＵＥにリソースグラントを送信することができる。一態様では、通信コンポーネント３６１は、例えば、(１つまたは複数の)プロセッサ８５３、メモリ８５５、および／またはトランシーバ８５６に関連して、ダウンリンク制御チャネル（例えば、ｕＰＤＣＣＨ）においてＵＥ（例えば、ＵＥ８０２）にリソースグラント（例えば、リソースグラント８８０）を送信することができる。したがって、一例では、スケジューリングコンポーネント３０２はまた、複数のＲＢ（または複数のＲＢグループ）（またはエンディングＲＢまたはＲＢグループ）およびスターティングＲＢ（またはＲＢグループ）に対応するグラントリソースにわたってＵＥ８０２から通信を受信し得る。かくして、例えば、アップリンク共有データチャネル（例えば、ｕＰＵＳＣＨ）は、アップリンク共有データチャネルにアロケートされる複数のＲＢ（またはＲＢグループ）に基づいて、設定可能な帯域幅を有することができる。さらに、図５を参照すると、スケジューリングコンポーネント３０２は、サブフレームにおける第１の期間５２０に対応するＲＢ（またはＲＢグループ）においてｕＰＤＣＣＨを通じてリソースグラントを送信し得、ここにおいて、リソースグラントは、（例えば、その中間のＧＰに対応する期間５２２とともに、）サブフレームにおける第３の期間５２４内のスターティングＲＢ（またはＲＢグループ）、複数のＲＢ（またはＲＢグループ）、またはエンディングＲＢ（またはＲＢグループ）を示す。さらに、一例では、リソースグラントは、アップリンク共有データチャネルにおいて制御データ（または特定のタイプの制御データ）を送信するためにＵＥ８０２のためのインジケータ、例えば、アップリンク共有データチャネルにおいてＣＱＩを送信するためのトリガを含み得る。
【００８７】
[0100]  選択的に、ブロック１２０６において、ｅＮＢは、リースグラントに対応する複数のＲＢのエンディングＲＢに隣接する第２のスターティングＲＢから開始する第２のアップリンク共有データチャネルのための第２のリソースグラントを第２のＵＥのために生成し得る。一態様では、リソースグラント生成コンポーネント８２０は、例えば、（１つまたは複数の）プロセッサ８５３、および／またはメモリ８５５に関連して、リソースグラントに対応する複数のＲＢのエンディングＲＢに隣接する第２のスターティングＲＢから開始する第２のＵＥのための第２のアップリンク共有データチャネルのための第２のリソースグラントを生成することができ、それは、ＵＥ８０２に送信されるリソースグラントである。例えば、リソースグラント生成コンポーネント８２０は、それに応じて、アロケーションスペースにおけるオーバーヘッドを制限するために、説明されるように、第１に周波数において、第２に時間において、連続してアップリンク共有データチャネルをアロケートすることができる。さらに、一例では、リソースグラント生成コンポーネント８２０は、近くのＵＥが離れたＵＥより前にアロケートされるように、アップリンク共有データチャネルをアロケートすることができる。例えば、リソースグラント生成コンポーネント８２０は、ＵＥに関連する１つまたは複数のパラメータ（例えば、アップリンク受信信号強度インジケータ（ＲＳＳＩ）測定値、被受信ＣＱＩなど）に基づいて、ＵＥの距離のオーダを推定し得、最初に最も近い近接ＵＥに対して（例えば、ＧＰのＲＢグループまたはエンディングＲＢに隣接するＲＢまたはＲＢグループから始めて）、続いてその次に最も近い近接ＵＥ、などに対して、アップリンク共有データチャネルのためのリソースをアロケートし得る。
【００８８】
[0101]  いかなる場合でも、選択的に、ブロック１２０８において、ｅＮＢは、第２のＵＥに第２のリソースグラントを送信することができる。一態様では、通信コンポーネント３６１は、例えば、(１つまたは複数の)プロセッサ８５３、メモリ８５５、および／またはトランシーバ８５６に関連して、ダウンリンク制御チャネル（例えば、ｕＰＤＣＣＨ）において第２のＵＥ（例えば、ＵＥ８０２以外）に第２のリソースグラント（例えば、リソースグラント８８０）を送信することができる。
【００８９】
[0102]  さらに、ブロック１２１０において、ｅＮＢは、選択的に、共通のシンボルにわたってＤＭ−ＲＳを送信するために、ＤＭ−ＲＳ位置情報をＵＥおよび追加のＵＥに示し得る。一態様では、リソースグラント生成コンポーネント８２０は、例えば、（１つまたは複数の）プロセッサ８５３、メモリ８５５、および／またはトランシーバ８５６に関連して、共通のシンボル（例えば、図５における期間５２６）にわたってＤＭ−ＲＳを送信するために、ＤＭ−ＲＳ位置情報をＵＥ（例えばＵＥ８０２）および追加のＵＥに示す。例えば、リソースグラント生成コンポーネント８２０は、リソースグラントまたは別個の通信における（１つまたは複数の）ＵＥに、ＤＭ−ＲＳ（例えば、シンボルにおけるＲＢまたはＲＢグループ）を送信するための周波数の対応する部分、および／または、共通のシンボルを示し得る。例えば、図５を参照すると、共通のシンボルは、期間５２６を含み得、リソースグラント８８０は、サブフレーム内のシンボルのインデックスまたは他のインジケータを含み得る。さらに、説明されるように、共通のシンボルは、アップリンク共有データチャネルのためのアロケーションスペース内にあり得る。
【００９０】
[00103]  選択的に、ブロック１２１２において、ｅＮＢは、共通のシンボルにおいてＵＥからＤＭ−ＲＳを受信し得る。一態様では、ＤＭ−ＲＳ受信コンポーネント８２２は、例えば、（１つまたは複数の）プロセッサ８５３、メモリ８５５、および／またはトランシーバ８５６と関連して、共通のシンボルにおいてＵＥ（例えば、ＵＥ８０２）からＤＭ−ＲＳを受信することができる。説明されるように、例えば、ｅＮＢ８０４は、共有アップリンクデータチャネルにわたってＵＥ８０２から受信されたデータを復調するために、ＤＭ−ＲＳを使用することができる。
【００９１】
[00104]  図１３は、ｅＮＢによってアサインされるＵＬＬ通信リソースにわたって（例えば、ＵＥによって）通信するための方法１３００の例を示す。ｅＮＢによってアサインされるリソースにわたってｅＮＢと通信するＵＥに関して概して説明されるが、本書に説明される機能は、あるデバイスが他のデバイスによって通信するためのリソースをスケジューリングするワイヤレス通信において、実質的にいかなるデバイスによっても使用されることができる。方法１３００において、破線のボックスとして示されているブロックは、選択的なステップを表す。
【００９２】
[00105]  ブロック１３０２において、ＵＥは、サービングｅＮＢから制御チャネルを受信することができ、ここにおいて、制御チャネルは、アップリンク制御チャネルのためのスタートインジケータおよび／または帯域幅を示すリソースグラントを含む。一態様では、通信コンポーネント３６１は、例えば、（１つまたは複数の）プロセッサ８０３、メモリ８０５、および／またはトランシーバ８０６と関連して、サービングｅＮＢ（例えばｅＮＢ８０４）から制御チャネル（例えば、ｕＰＤＣＣＨ）を受信することができ、ここにおいて制御チャネルは、アップリンク制御チャネルのためのスタートインジケータおよび／または帯域幅を示すリソースグラント（例えば、リソースグラント８８０）を含む。例えば、（図６におけるアロケーションスペース６００、６０２、図７におけるアロケーションスペース７００において示される例にしたがって）ｅＮＢ８０４がＴＤＭでリソースをアロケートする場合、説明されるように、ｅＮＢ８０４は、リソースグラント８８０において制御チャネルのためのスタートインジケータおよび／または帯域幅を示すことができる。例えば、スタートインジケータは、ＲＢまたはＲＢグループのインデックス、アップリンク制御チャネルが始まるシンボルのインデックス（例えば、ここにおいてシンボルは、ＵＬＬ通信技術のＴＴＩであることができる）、など、であり得る。さらに、一例では、リソースグラント８８０は、帯域幅を示し得、および／または、帯域幅は、ＵＥ８０２によって別の方法で認識され得るか、別個に設定され得る。一例では、ブロック１３０２において受信される制御チャネルが他のリソースにわたって受信される第２の制御チャネルであり得、追加の情報がブロック９０２または１１０２において受信されるのと同じ制御チャネルで受信されるように、ＵＥ８０２は、方法９００および／または１１００を方法１３００と同時に実施することができる。
【００９３】
[00106]  一例では、（例えば、リソースグラント８８０において示されるような）帯域幅は、周知のまたは設定されたエンディング期間（例えば、サブフレームにおける最後のシンボル、複数のシンボルまたはＲＢのあと、など）におけるエンディングおよびスタートインジケータによって示されるシンボル、または、別の方法で設定されたエンディングシンボルに対して、最初および最後のＲＢ（またはＲＢグループ）における周波数の部分を含み得、それらの例は、図６では周波数の部分６１０、図７では周波数の部分７２０、などとして示されている。別の例では、帯域幅は、複数のＵＥの制御データを送信するための１つまたは複数の共通のシンボルにおいて（例えば、図６では周波数の部分６２０として示されているような最後のシンボルにおいて）、１つまたは複数のＲＢ（または、ＲＢグループ）の部分を含み得る。したがって、例えば、リソースグラント８８０は、制御データを送信するために所定のＵＥに対して共通のシンボルにおける１つまたは複数のＲＢ（またはＲＢグループ）の部分を示し得、および／または、ＵＥにアサインされる、（１つまたは複数の）共通のシンボル、ＲＢインデックス、ＲＢ間の間隔（例えばトーン間隔）などを示し得る。
【００９４】
[00107]  ブロック１３０４において、ＵＥは、スタートインジケータから対応するエンディング期間までの持続時間の間に、帯域幅にわたってアップリンク制御チャネルにおいて制御データを送信することができる。一態様では、通信コンポーネント３６１は、例えば、（１つまたは複数の）プロセッサ８０３、メモリ８０５、および／またはトランシーバ８０６に関連して、スタートインジケータから対応するエンディング期間（例えば、説明されるように、サブフレームの終わり、スターティングシンボルからの複数のシンボル、ＴＤＭにおける複数のＲＢ、または他の設定されたまたは周知のエンディング期間）までの持続時間の間に、（例えば、リソースグラント８８０において示されているように）帯域幅にわたってアップリンク制御チャネルにおいて制御データを送信することができる。例えば、説明されるように、チャネルリソース決定コンポーネント８１０は、ｅＮＢ８０４から受信されるリソースグラントからのスタートインジケータに対応する期間（例えばシンボル）および帯域幅を決定することができ、通信コンポーネント３６１は、それに応じて、リソースにわたってデータ送信をスケジューリングすることができる。一例では、帯域幅が（図６において周波数の部分６２０に示されているように）制御データを送信するために複数のＵＥに対して共通のシンボルにおいて共有される場合、通信コンポーネント３６１（および他のＵＥの他の通信コンポーネント）は、帯域幅にわたって周波数の複数の部分において制御データを送信するためにＩＦＤＭＡ波形を使用し得る。さらに、これに関して、対応する共有ＤＭ−ＲＳはまた、サブフレームにおける別のシンボル（例えば、プリコーディングシンボル）において送信されることができる。
【００９５】
[00108]  一例では、アップリンク制御チャネルのためのリソースは、干渉を軽減することと、ＨＡＲＱフィードバックのためのｎ＋ｋルールに従うこと（例えば、サブフレームの始まりにおいてダウンリンクチャネルのためのフィードバックが、対応するダウンリンク通信からのシンボルの少なくともしきい値数（ｋ）だけ送信されることを確実にすること）とを行うために、アップリンク共有データチャネルから遅延され、アップリンク制御チャネルにわたって送信されるリソースグラントにおいてアロケートされることができる。さらに、一例では、ｅＮＢ８０４は、リソースグラントにおいて制御チャネルの持続時間を示し得、チャネルリソース決定コンポーネント８１０は、（例えば、サブフレームの終わりではなく）持続時間に基づいて制御データを送信するための期間を決定することができる。持続時間は、アップリンク共有データチャネルのための、複数のＲＢ（またはＲＢグループ）、複数のシンボルなどを示し得る。
【００９６】
[00109]  一例では、通信コンポーネント３６１は、アップリンク制御チャネルのタイプに依存して、ＡＣＫ／ＮＡＣＫ、ＳＲ、ＣＱＩなどのような制御データを送信することができる。例えば、アロケーションスペースは、アップリンクアロケーションと比較すると、ヘビーダウンリンクアロケーション（heavy downlink allocation）（例えば、９個のダウンリンクシンボルと４個のアップリンクシンボルとを有するアロケーションスペース６００、６０２）であり、または、ダウンリンクアロケーションと比較すると、ヘビーアップリンクアロケーション（heavy uplink allocation）（例えば、２個のダウンリンクシンボルと１０個のアップリンクシンボルとを有するアロケーションスペース７００）であり得る。一例では、アロケーションスペースがヘビーダウンリンクアロケーションである場合、制御データを送信することは、データを示すために異なる循環シフト（cyclic shift）を使用することを含み得、それは、ダウンリンク共有データチャネルがＵＥ８０２にアサインされること、および／または、アップリンク共有データチャネルがＵＥ８０２にアサインされること、に基づき得る。
【００９７】
[00110]  かくして、一例では、ブロック１３０４において制御データを送信するとき、ＵＥは、選択的に、ブロック１３０６において、制御データを示すために循環シフトで制御データを送信し得る。一態様では、通信コンポーネント３６１は、制御データを示すために循環シフトで制御データを送信することができる。循環シフトの構成は、例えば、ダウンリンク制御チャネルアサインメントに基づくことができる。例えば、通信コンポーネント３６１が（例えばサブフレームにおいて）ｅＮＢ８０４からダウンリンク共有データチャネルアサインメントとアップリンク共有データチャネルアサインメントとを受信する場合、通信コンポーネント３６１は、ダウンリンクデータのためのＡＣＫ／ＮＡＣＫを示すために第１の循環シフトで、および／またはＳＲを示すために第２の循環シフトで、制御データを送信することができる。別の例では、通信コンポーネント３６１が（例えばサブフレームにおいて）ｅＮＢ８０４からアップリンク共有データチャネルアサインメントを受信する場合、通信コンポーネント３６１は、ＳＲを示すために第１の循環シフトで、および／または、ｅＮＢ８０４にＣＱＩを送信することの要求を示すために第２の循環シフトで、制御データを送信することができる。さらに、例えば、通信コンポーネント３６１が（例えばサブフレームにおいて）ｅＮＢ８０４からダウンリンク共有データチャネルアサインメントを受信する場合、通信コンポーネント３６１は、（例えばＤＭ−ＲＳに基づいて）パイロットを示すために第１の循環シフトで、および／または、ダウンリンク共有データチャネルにおいてダウリンクデータのためのＡＣＫ／ＮＡＣＫを示すために第２の循環シフトで、制御データを送信することができる。さらに、通信コンポーネント３６１が（例えばサブフレームにおいて）ｅＮＢ８０４からアップリンク共有データチャネルアサインメントもダウンリンク共有データチャネルアサインメントも受信しない場合、通信コンポーネント３６１は、（例えば、ＤＭ−ＲＳに基づいて）パイロットを示すために第１の循環シフトで、および／またはＳＲを示すために第２の循環シフトで、制御データを送信することができる。一例では、通信コンポーネント３６１がアップリンク共有データチャネルアサインメントを受信する場合、通信コンポーネント３６１は、アップリンク共有データチャネルアサインメントのリソースにわたって対応する送信のためのパイロットとして（上述のような）ＤＭ−ＲＳを使用することができ、パイロットを送信するための循環シフトのうちの１つを使用しない場合がある。
【００９８】
[00111]  別の例では、アロケーションスペースがヘビーアップリンクアロケーションである場合、ＵＥは選択的に、ブロック１３０８において、早期帯域幅において早期制御チャネルのためのスタートインジケータおよび帯域幅を示す別のリソースグラントを決定し得る。一態様では、チャネルリソース決定コンポーネント８１０は、例えば、（１つまたは複数）のプロセッサ８０３、メモリ８０５、および／またはトランシーバ８０６に関連して、帯域幅（例えば、周波数帯域、複数のＲＢなど）および早期帯域幅における早期制御チャネルのためのスタートインジケータ（例えば、スタートシンボルのインデックス、ＲＢなど）を示す別のリソースグラントを決定し得る。例えば、リソースグラント８８０は、同様に早期制御チャネルのためのスタートインジケータおよび帯域幅のインジケーションを含み得、それは、サブフレームの終わりの近くにあり得るアップリンク制御チャネルの周波数７２０の部分から分離されているアップリンク共有データチャネルアロケーションスペースにおける１つまたは複数のシンボルにおける周波数の部分７１０に対応し得る。一例では、通信コンポーネント３６１は、早期制御チャネルにおいていくつかの制御データ、および／または、制御チャネルにおいてさらなる制御データを送信することができる。
【００９９】
[00112]  一例では、ＵＥは、選択的に、ブロック１３１０において、制御チャネルにおいてＳＲ／ＣＱＩおよび早期制御チャネルにおいてＨＡＲＱインジケータを送信し得る。一態様では、通信コンポーネント３６１は、例えば、（１つまたは複数の）プロセッサ８０３、メモリ８０５および／またはトランシーバ８０６と関連して、制御チャネルにおいてＳＲ／ＣＱＩおよび早期制御チャネルにおいてＨＡＲＱインジケータを送信し得る。かくして、例えば、ＨＡＲＱインジケータは、ＨＡＲＱインジケータがサブフレームの終わりの近くの後期アップリンク制御チャネルにおいて送信され得る場合と対照的に、次のサブフレームにおいて可能な再送信を可能にするためにｅＮＢ８０４に早期に通信されることができる。図７を参照すると、この例では、通信コンポーネント３６１は、周波数の部分７１０における早期制御チャネルにおいてＨＡＲＱインジケータを送信することができ、早期制御チャネルより後の時間に生じる後期制御チャネルにおいて周波数の部分７２０においてＳＲ／ＣＱＩを送信することができる。
【０１００】
[00113]  さらに、例えば、ＵＥは選択的に、ブロック１３１２において、アロケーションスペースの第１の部分においてｅＮＢからＣＳＩ−ＲＳを受信し得る。一態様では、通信コンポーネント３６１は、例えば、（１つまたは複数の）プロセッサ８０３、メモリ８０５、および／またはトランシーバ８０６に関連して、アロケーションスペースの第１の部分（例えば、サブフレームの第１のシンボル）においてｅＮＢから（ＣＳＩ干渉管理（ＣＳＩ−ＩＭ）を含み得る）ＣＳＩ−ＲＳを受信し得る。例えば、ダウンリンクおよびアップリンクリソースグラントは、ＵＥ８０２からのＣＳＩフィードバックをトリガし得る。一態様では、ＵＥ８０２はまた、ＣＳＩ−ＲＳを検出するためのＣＳＩ−ＲＳロケーション情報を受信し得る。いずれの場合でも、ＵＥ８０２は、ＣＳＩ−ＲＳのためのＣＳＩフィードバックを提供するように構成され得る。例えば、ＣＳＩフィードバックコンポーネント８１４は、アップリンク制御チャネルにおいて制御データでＣＳＩフィードバックを送信することができる。別の例では、ＵＥは選択的に、ブロック１３１４において、ｅＮＢによって構成されるアップリンク共有データチャネルにおいてＣＳＩフィードバックを送信し得る。一態様では、ＣＳＩフィードバックコンポーネント８１４は、（例えばｅＮＢ８０４が上述のようにアップリンク共有データチャネルを構成することができる場合、）ｅＮＢ８０４によって構成されるアップリンク共有データチャネルにおいてＣＳＩフィードバックを送信することができる。一例では、ＣＳＩフィードバックコンポーネント８１４は、ＣＳＩを報告するためのトリガがダウンリンクリソースグラントにおけるｅＮＢ８０４から受信されるか、アップリンクリソースグラントにおけるｅＮＢ８０４から受信されるか、または、アップリンク共有データチャネルがアップリンク制御チャネルと衝突するかどうか、に少なくとも部分的に基づいて、アップリンク共有データチャネル、またはアップリンク制御チャネルにおいてＣＳＩフィードバックを送信することができる。
【０１０１】
[00114]  図１４は、ＵＬＬ通信リソースを（例えば、ｅＮＢによって）スケジューリングするための方法１４００の例を示す。ＵＥのためのリソースをスケジューリングするｅＮＢに関して概して説明されるが、本書に説明される機能は、あるデバイスが他のデバイスによって通信するためのリソースをスケジューリングするワイヤレス通信において、実質的にいかなるデバイスによっても使用されることができる。方法１４００において、破線のボックスとして示されているブロックは、選択的なステップを表す。
【０１０２】
[00115]  ブロック１４０２において、ｅＮＢは、アップリンク制御チャネルのためのスタートインジケータおよび／または帯域幅を示すリソースグラントを生成することができる。一態様では、リソースグラント生成コンポーネント８２０は、例えば、（１つまたは複数の）プロセッサ８５３、および／またはメモリ８５５と関連して、アップリンク制御チャネルのためのスタートインジケータおよび／または帯域幅を示すリソースグラントを生成することができる。例えば、説明されるように、（図６におけるアロケーションスペース６００、６０２、図７におけるアロケーションスペース７００において示される例にしたがって）ｅＮＢ８０４がＴＤＭにリソースをアロケートする場合、ｅＮＢ８０４は、リソースグラント８８０において制御チャネルのためのスタートインジケータおよび／または帯域幅を示すことができる。例えば、スタートインジケータは、アップリンク制御チャネルが開始するＲＢまたはＲＢグループのインデックス、シンボルのインデックスなどであり得る。さらに、一例では、リソースグラント８８０は、帯域幅を示し得、および／または、帯域幅は、ｅＮＢ８０４およびＵＥ８０２によって別の方法で認識され得るか、別個に設定され得る。
【０１０３】
[00116]  一例では、帯域幅は、スタートインジケータおよび周知のエンディング期間（例えば、サブフレームにおける最後のシンボル、複数のシンボルまたはＲＢのあと、など）におけるエンディングによって示されるシンボル、または、別の方法で設定されたエンディングシンボルに対して、最初および最後のＲＢ（またはＲＢグループ）における周波数の部分を含み得、それらの例は、図６の周波数の部分６１０、図７の周波数の部分７２０などとして示されている。別の例では、帯域幅は、複数のＵＥの制御データを送信するための１つまたは複数の共通のシンボルにおいて（例えば、図６において周波数の部分６２０に示されているような最後のシンボルにおいて）、１つまたは複数のＲＢ（または、ＲＢグループ）の部分を含み得る。したがって、例えば、リソースグラント８８０は、制御データを送信するために所定のＵＥのための１つまたは複数のＲＢ（またはＲＢグループ）の部分を示し得る。さらに、リソースグラント生成コンポーネント８２０は、ヘビーダウンリンクアロケーションスペースのための最小２個のシンボルｕＰＵＣＣＨ、ヘビーアップリンクアロケーションスペースのためのスロット長ｕＰＵＣＣＨ、などを生成し得る。さらに、リソースグラントのためのＲＢの数は、構成に基づいて（例えば、ｕＰＵＣＣＨの示された持続時間に基づいて）、変わることができる。
【０１０４】
[00117]  ブロック１４０４において、ｅＮＢは、ダウンリンク制御チャネルにおいてＵＥにリソースグラントを送信することができる。一態様では、スケジューリングコンポーネント３０２は、例えば、(１つまたは複数の)プロセッサ８５３、メモリ８５５、および／またはトランシーバ８５６に関連して、ダウンリンク制御チャネル（例えば、ｕＰＤＣＣＨ）においてＵＥ８０２にリソースグラント（例えば、リソースグラント８８０）を送信することができる。したがって、説明されるように、ＵＥ８０２は、ｅＮＢ８０４から受信されるリソースグラントからのスタートインジケータに対応する期間（例えばシンボル）および帯域幅を決定することができ、それに応じて、リソースにわたって制御データ送信をスケジューリングすることができる。かくして、一例では、スケジューリングコンポーネント３０２は、その期間の間に帯域幅にわたってＵＥ８０２および／または他のＵＥから制御データを受信することができる。
【０１０５】
[00118]  一例では、ｅＮＢは選択的に、ブロック１４０６において、被受信制御データをシフトするために使用される循環シフトに基づいて制御データを決定することができる。一態様では、スケジューリングコンポーネント３０２は、例えば、（１つまたは複数の）プロセッサ８５３、メモリ８５５および／またはトランシーバ８５６と関連して、被受信制御データをシフトするために使用される循環シフトに基づいて制御データを決定することができる。例えば、説明されるように、スケジューリングコンポーネント３０２は、先に説明されるように、ダウンリンク共有データチャネルアロケーションがＵＥ８０２に提供されること、および／または、アップリンク共有データチャネルアロケーションがＵＥ８０２に提供されること、に基づいて、および循環シフトに基づいて、制御データを決定することができる。
【０１０６】
[00119]  別の例では、ｅＮＢは選択的に、ブロック１４０８において、早期帯域幅における早期制御チャネルのためのスタートインジケータおよび帯域幅を示す別のリソースグラントをＵＥに生成および送信し得る。一態様では、リソースグラント生成コンポーネント８２０は、例えば、（１つまたは複数の）プロセッサ８５３、メモリ８５５および／またはトランシーバ８５６と関連して、早期帯域幅における早期制御チャネルのためのスタートインジケータおよび帯域幅を示す別のリソースグラントを（例えば、同じまたは異なるダウンリンク送信において）ＵＥ８０２に生成および送信することができる。説明されるように、リソースグラント生成コンポーネント８２０は、（例えば、アップリンク共有データチャネルリソースをアロケートするための複数のシンボルがしきい値に達する場合、サービスされるＵＥにアロケートするための複数のリソースブロックが少なくともアロケーションスペースにおいて利用可能である複数のリソースブロック未満のしきい値である場合、などに）ヘビーアップリンクアロケーションスペースにおける早期帯域幅における早期制御チャネルのためのリソースグラントを生成し得る。
【０１０７】
[00120]  したがって、説明されるように、ｅＮＢは、選択的に、ブロック１４１０において、制御チャネルにおいてＳＲ／ＣＱＩを、および早期制御チャネルにおいてＨＡＲＱインジケータを、受信し得る。一態様では、スケジューリングコンポーネント３０２は、例えば、（１つまたは複数の）プロセッサ８５３、メモリ８５５および／またはトランシーバ８５６と関連して、制御チャネルにおいてＳＲ／ＣＱＩおよび早期制御チャネルにおいてＨＡＲＱインジケータを受信し得る。かくして、例えば、ＨＡＲＱインジケータは、ＨＡＲＱインジケータがサブフレームの終わりの近くの後期アップリンク制御チャネルにおいて受信され得る場合と対照的に、（例えば、図５では第１の期間５２０において）次のサブフレームにおいて対応するダウンリンクデータを場合によっては再送信することをスケジューリングコンポーネント３０２に可能にするために、早期に受信されることができる。
【０１０８】
[00121]  さらに、例えば、ｅＮＢは選択的に、ブロック１４１２において、アロケーションスペースの第１の部分においてＵＥにＣＳＩ−ＲＳを送信し得る。一態様では、ＣＳＩ−ＲＳ送信コンポーネント８２４は、例えば、（１つまたは複数の）プロセッサ８５３、メモリ８５５、および／またはトランシーバ８５６に関連して、アロケーションスペースの第１の部分（例えば、サブフレームの第１のシンボル）においてＵＥ８０２に（ＣＳＩ−ＩＭを含み得る）ＣＳＩ−ＲＳを送信し得る。一例では、ｅＮＢ８０４は、アロケーションスペースの部分において、ＵＥ８０２に送信されるダウンリンクおよび／またはアップリンクリソースグラントを介して、ＣＳＩフィードバックをトリガし得る。一態様では、ｅＮＢ８０４はまた、ＣＳＩ−ＲＳを検出するためのＣＳＩ−ＲＳロケーション情報を送信し得る。いずれの場合でも、ＵＥ８０２は、ＣＳＩ−ＲＳのためのＣＳＩフィードバックを提供するように構成され得る。一例では、ｅＮＢは選択的に、ブロック１４１４において、アップリンク制御チャネルまたはアップリンク共有データチャネルにおいてＵＥからＣＳＩフィードバックを受信し得る。一態様では、スケジューリングコンポーネント３０２は、アップリンク制御チャネルまたはアップリンク共有データチャネルにおいてＵＥ８０２からＣＳＩフィードバックを受信することができる。一例では、スケジューリングコンポーネント３０２は、リソースグラント生成コンポーネント８２０がＣＳＩを報告するためにＵＥ８０２をダウンリンクリソースグラントにおいてトリガするか、アップリンクリソースグラントにおいてトリガするか、あるいは、アップリンク共有データチャネルがアップリンク制御チャネルと衝突するかどうか、に少なくとも部分的に基づいて、アップリンク共有データチャネル、またはアップリンク制御チャネルにおいてＣＳＩフィードバックを受信することができる。
【０１０９】
[00122]  開示された処理におけるステップの特定の順序または階層は、例示的なアプローチの一例であることが理解される。設計の好みに基づいて、処理におけるステップの特定の順序または階層は再配置され得ることが理解される。さらに、いくつかのステップは、組み合わされ得るか、または省略され得る。添付の方法の請求項は、サンプルの順序でさまざまなステップの要素を提示しており、提示された特定の順序または階層に限定されることは意図されない。
【０１１０】
[00123]  先の説明は、いかなる当業者にも本書で説明されたさまざまな態様を実施することを可能にするために、提供される。これらの態様へのさまざまな修正は、当業者に容易に明らかとなり、本書に定義された包括的な原理は、他の態様に適用され得る。かくして、特許請求の範囲は、本書に示された態様に限定されることは意図されてはいないが、特許請求の範囲の文言と一致する全範囲を付与されるべきであり、ここにおいて、単数形での要素への言及は、そうであると具体的に記載されない限り、「１つおよび１つのみ」を意味することは意図されず、むしろ「１つまたは複数」を意味することが意図される。そうでないと具体的に記載されない限り、「いくつかの」という用語は、１つ以上を指す。当業者に既知の、または後に周知となる、本書に説明されたさまざまな態様の要素と構造的および機能的に同等な物はすべて、参照によって本書に明確に組み込まれ、特許請求の範囲に包含されることが意図される。さらに、本書で開示されたものが、特許請求の範囲の中に明示的に記載されているか否かに関わらず、公に捧げられることを意図していない。要素が「〜のための手段」というフレーズを使用して明確に記載されていない限り、どの請求項の要素もミーンズプラスファンクション（means plus function）として解釈されるべきではない。
以下に本願の出願当初の特許請求の範囲に記載された発明を付記する。
［Ｃ１］
設定可能な帯域幅を使用して通信するための方法であって、
サービング進化型ノードＢ（ｅＮＢ）から制御チャネルを、ユーザ機器（ＵＥ）において、受信することと、ここにおいて、前記制御チャネルは、アロケーションスペースにおいてスターティングリソースブロックグループから開始する複数のリソースブロックグループを含むアップリンク共有データチャネルのためのリソースグラントを含む、ここにおいて、前記アロケーションスペースは、時間ドメインにおける複数のシンボルに対して周波数ドメインにおける複数のリソースブロックグループを含む、
前記アロケーションスペースにおける前記スターティングリソースブロックグループから開始して、第１に前記周波数ドメインにわたって、および第２に前記時間ドメインにわたって、前記アロケーションスペースにおける前記複数のリソースブロックグループを通して続く、前記アップリンク共有データチャネルにおいてデータを、前記ＵＥによって、送信することと、
を備える、方法。
［Ｃ２］
前記スターティングリソースブロックグループは、ガード期間からの複数のシンボルである第１のシンボルにあり、前記複数のシンボルは、前記サービングｅＮＢへの前記ＵＥの近接性に基づく、Ｃ１に記載の方法。
［Ｃ３］
前記アップリンク共有データチャネルの少なくとも１つの部分において制御データを、前記ＵＥによって、送信することをさらに備える、Ｃ１に記載の方法。
［Ｃ４］
前記アップリンク共有データチャネルにおいて前記制御データを送信するために前記サービングｅＮＢからインジケータを、前記ＵＥによって、受信することをさらに備える、Ｃ３に記載の方法。
［Ｃ５］
前記アロケーションスペースにおける１つまたは複数の復調基準信号（ＤＭ−ＲＳ）を送信するためのシンボルを決定することと、ここにおいて、前記シンボルは、ＤＭ−ＲＳを送信するために複数のＵＥによって使用される、
前記１つまたは複数のＤＭ−ＲＳを送信するための前記シンボル内の１つまたは複数のリソースブロックグループを決定することと、
前記シンボルにおける前記１つまたは複数のリソースブロックグループにおいて前記１つまたは複数のＤＭ−ＲＳを送信することと、
をさらに備える、Ｃ１に記載の方法。
［Ｃ６］
前記１つまたは複数のリソースブロックグループを決定することは、前記サービングｅＮＢから前記制御チャネルにおいて受信される前記１つまたは複数のリソースブロックグループのインジケーションに少なくとも部分的に基づく、Ｃ５に記載の方法。
［Ｃ７］
前記シンボルは、ガード期間の後であり、前記アロケーションスペースの第１のシンボルの前である、Ｃ５に記載の方法。
［Ｃ８］
前記サービングｅＮＢから第２の制御チャネルを、前記ＵＥにおいて、受信することと、ここにおいて、前記第２の制御チャネルは、アップリンク制御チャネルのためのスタートインジケータおよび帯域幅を示す第２のリソースグラントを含む、
前記スタートインジケータから対応するサブフレームの終わりまで、第１の持続期間の間に、および前記帯域幅にわたって前記アップリンク制御チャネルにおいて制御データを、前記ＵＥによって、送信することと、
をさらに備える、Ｃ１に記載の方法。
［Ｃ９］
前記第２のリソースグラントは、前記アップリンク共有データチャネルのための前記アロケーションスペースにおける第２のスターティングリソースブロックグループから開始する第２の複数のリソースブロックを示し、前記アップリンク共有データチャネルのための前記帯域幅は、前記アップリンク制御チャネルのための前記アロケーションスペースに対応する前記複数のシンボルの１つの部分における最初のリソースブロックグループのリソースブロックの少なくとも１つの部分と、前記複数のシンボルの前記部分における最後のリソースブロックグループのリソースブロックの少なくとも別の部分とを、備える、Ｃ８に記載の方法。
［Ｃ１０］
前記複数のシンボルの前記部分の第１のシンボルは、前記アップリンク共有データチャネルのための前記アロケーションスペースの第１のシンボルから少なくともしきい値数のシンボルだけ遅延される、Ｃ９に記載の方法。
［Ｃ１１］
前記複数のシンボルの複数の前記部分は、前記アップリンク共有データチャネルのための前記アロケーションスペースのサイズに対応する、Ｃ９に記載の方法。
［Ｃ１２］
リソースブロックの前記部分は、前記サービングｅＮＢから１つの構成において受信される前記アップリンク制御チャネルの第２の持続時間に対応する、Ｃ９に記載の方法。
［Ｃ１３］
前記複数のシンボルの前記部分は、前記対応するサブフレームにおける最後のシンボルを備え、前記制御データを送信することは、前記サービングｅＮＢから１つの構成において受信されるインジケーションに基づいて前記最後のシンボルにおける１つまたは複数のリソースブロックグループのリソースブロックにおいて前記制御データを送信することを備える、Ｃ９に記載の方法。
［Ｃ１４］
前記アップリンク制御チャネルのための前記帯域幅は、前記アップリンク共有データチャネルのための前記アロケーションスペースに対応する前記複数のシンボルの第２の部分における第２の最初のリソースブロックグループのリソースブロックの少なくとも第２の部分と、前記複数のシンボルの前記第２の部分における第２の最後のリソースブロックグループのリソースブロックの少なくとも別の第２の部分と、を備える早期帯域幅をさらに備える、Ｃ９に記載の方法。
［Ｃ１５］
前記第２のリソースグラントは、ダウンリンク共有データチャネルおよび前記アップリンク共有データチャネルに関わるリソースを示し、前記制御データを送信することは、前記ダウンリンク共有データチャネル上で受信されるデータに関わる肯定応答／否定応答を示すための第１の循環シフト、または、前記アップリンク共有データチャネル上のリソースに対するスケジューリング要求を示すための第２の循環シフト、のうちの少なくとも１つを使用して前記制御データを送信することを備える、Ｃ８に記載の方法。
［Ｃ１６］
前記第２のリソースグラントは、前記アップリンク共有データチャネルに関わるリソースを示し、前記制御データを送信することは、前記アップリンク共有データチャネルにおけるリソースに対するスケジューリング要求を示すための第１の循環シフト、または、チャネル品質インジケータを送信することの要求を示すための第２の循環シフト、のうちの少なくとも１つを使用して、前記制御データを、前記ＵＥによって、送信することを備える、Ｃ８に記載の方法。
［Ｃ１７］
前記制御データを送信することは、パイロット信号を示すための第１の循環シフト、または、前記アップリンク共有データチャネルにおけるリソースに対するスケジューリング要求を示すための第２の循環シフト、のうちの少なくとも１つを使用して前記制御データを、前記ＵＥによって、送信することを備える、Ｃ８に記載の方法。
［Ｃ１８］
前記対応するサブフレームの第１の部分において前記サービングｅＮＢからチャネル状態情報（ＣＳＩ）基準信号（ＣＳＩ−ＲＳ）を、前記ＵＥによって、受信することをさらに備え、前記制御データを送信することは、前記アップリンク制御チャネルにおいて前記ＣＳＩ−ＲＳに関わるＣＳＩフィードバックを送信することを含む、Ｃ８に記載の方法。
［Ｃ１９］
前記対応するサブフレームの第１の部分における前記サービングｅＮＢからＣＳＩ−ＲＳを受信することと、
前記アップリンク共有データチャネルにおいて前記ＣＳＩ−ＲＳに関わるＣＳＩフィードバックを送信することと、をさらに備える、Ｃ８に記載の方法。
［Ｃ２０］
前記アップリンク共有データチャネルにおいて前記ＣＳＩフィードバックを送信することは、前記アップリンク制御チャネルが前記アップリンク制御チャネルと衝突することを決定することに少なくとも部分的に基づく、Ｃ１９に記載の方法。
［Ｃ２１］
設定可能な帯域幅を使用して通信するための装置であって、
トランシーバと、
メモリと、
前記トランシーバおよび前記メモリに通信可能に結合された少なくとも１つのプロセッサを備え、ここにおいて、前記少なくとも１つのプロセッサは、
サービング進化型ノードＢ（ｅＮＢ）から制御チャネルを受信することと、ここにおいて、前記制御チャネルは、アロケーションスペースにおいてスターティングリソースブロックグループから開始する複数のリソースブロックグループを含むアップリンク共有データチャネルのためのリソースグラントを含む、ここにおいて、前記アロケーションスペースは、時間ドメインにおける複数のシンボルに対して周波数ドメインにおける複数のリソースブロックグループを含む、
前記アロケーションスペースにおける前記スターティングリソースブロックグループから開始して、第１に前記周波数ドメインにわたって、および第２に前記時間ドメインにわたって、前記アロケーションスペースにおける前記複数のリソースブロックグループを通して続く、前記アップリンク共有データチャネルにおいてデータを送信することと、
を行うように構成される、装置。
［Ｃ２２］
前記スターティングリソースブロックグループは、ガード期間からの複数のシンボルである第１のシンボルにあり、前記複数のシンボルは、前記サービングｅＮＢへの近接性に基づく、Ｃ２１に記載の装置。
［Ｃ２３］
前記少なくとも１つのプロセッサは、前記アップリンク共有データチャネルの少なくとも１つの部分における制御データを送信するようにさらに構成される、Ｃ２１に記載の装置。
［Ｃ２４］
前記少なくとも１つのプロセッサは、前記アップリンク共有データチャネルにおいて前記制御データを送信するために前記サービングｅＮＢからインジケータを受信するようにさらに構成される、Ｃ２３に記載の装置。
［Ｃ２５］
前記少なくとも１つのプロセッサは、
前記アロケーションスペースにおける１つまたは複数の復調基準信号（ＤＭ−ＲＳ）を送信するためのシンボルを決定することと、ここにおいて、前記シンボルは、ＤＭ−ＲＳを送信するために複数のＵＥによって使用される、
前記１つまたは複数のＤＭ−ＲＳを送信するための前記シンボル内の１つまたは複数のリソースブロックグループを決定することと、
前記シンボルを通じて前記１つまたは複数のリソースブロックグループにおいて前記１つまたは複数のＤＭ−ＲＳを送信することと、
を行うようにさらに構成される、Ｃ２１に記載の装置。
［Ｃ２６］
前記少なくとも１つのプロセッサは、前記サービングｅＮＢから前記制御チャネルにおいて受信される前記１つまたは複数のリソースブロックグループのインジケーションに少なくとも部分的に基づいて、前記１つまたは複数のリソースブロックグループを決定する、Ｃ２５に記載の装置。
［Ｃ２７］
設定可能な帯域幅を使用して通信するための装置であって、
サービング進化型ノードＢ（ｅＮＢ）から制御チャネルを、ユーザ機器（ＵＥ）において、受信するための手段と、ここにおいて、前記制御チャネルは、アロケーションスペースにおいてスターティングリソースブロックグループから開始する複数のリソースブロックグループを含むアップリンク共有データチャネルのためのリソースグラントを含む、ここにおいて、前記アロケーションスペースは、時間ドメインにおける複数のシンボルに対して周波数ドメインにおける複数のリソースブロックグループを含む、
前記アロケーションスペースにおける前記スターティングリソースブロックグループから開始して、第１に前記周波数ドメインにわたって、および第２に前記時間ドメインにわたって、前記アロケーションスペースにおける前記複数のリソースブロックグループを通して続く、前記アップリンク共有データチャネルにおいてデータを、前記ＵＥによって、送信するための手段と、
を備える、装置。
［Ｃ２８］
前記スターティングリソースブロックグループは、ガード期間からの複数のシンボルである第１のシンボルにあり、前記複数のシンボルは、前記サービングｅＮＢへの前記ＵＥの近接性に基づく、Ｃ２７に記載の装置。
［Ｃ２９］
設定可能な帯域幅を使用して通信するためのコンピュータ実行可能コードを記憶するコンピュータ可読媒体であって、前記コードは、
サービング進化型ノードＢ（ｅＮＢ）から制御チャネルを、ユーザ機器（ＵＥ）において、受信するためのコードと、ここにおいて、前記制御チャネルは、アロケーションスペースにおいてスターティングリソースブロックグループから開始する複数のリソースブロックグループを含むアップリンク共有データチャネルのためのリソースグラントを含む、ここにおいて、前記アロケーションスペースは、時間ドメインにおける複数のシンボルに対して周波数ドメインにおける複数のリソースブロックグループを含む、
前記アロケーションスペースにおける前記スターティングリソースブロックグループから開始して、第１に前記周波数ドメインにわたって、および第２に前記時間ドメインにわたって、前記アロケーションスペースにおける前記複数のリソースブロックグループを通して続く、前記アップリンク共有データチャネルにおいてデータを、前記ＵＥによって、送信するためのコードと、
を備える、コンピュータ可読媒体。
［Ｃ３０］
前記スターティングリソースブロックグループは、ガード期間からの複数のシンボルである第１のシンボルにあり、前記複数のシンボルは、前記サービングｅＮＢへの前記ＵＥの近接性に基づく、Ｃ２９に記載のコンピュータ可読媒体。
【図１】
0006689971.tif 000002
【図２】
0006689971.tif 000003
【図３】
0006689971.tif 000004
【図４】
0006689971.tif 000005
【図５】
0006689971.tif 000006
【図６】
0006689971.tif 000007
【図７】
0006689971.tif 000008
【図８】
0006689971.tif 000009
【図９】
0006689971.tif 000010
【図１０】
0006689971.tif 000011
【図１１】
0006689971.tif 000012
【図１２】
0006689971.tif 000013
【図１３】
0006689971.tif 000014
【図１４】
0006689971.tif 000015